(57)【特許請求の範囲】
【請求項１】
多数のカラオケデータのうちから選択される所定のカラオケデータに対応する演奏曲を出力させると共に、通信回線を介してサーバ装置との間で情報の通信を行うカラオケ装置を備えた通信カラオケシステムにおいて、
画像を表示させると共に利用者の接触に応じて入力を受け付けるタッチパネルディスプレイと、
それぞれ所定の演奏曲に対応する、前記カラオケデータとは態様の異なる複数の音楽データを記憶する音楽データベースと
を、備えて、
前記サーバ装置との間で情報の通信を行う携帯型情報通信端末であって、
前記音楽データベースに記憶された複数の音楽データのうち一部を抽出し、抽出された複数の音楽データを示す音楽データ画像を前記タッチパネルディスプレイに表示させる音楽データ画像表示制御手段と、
該音楽データ画像表示制御手段により表示される前記音楽データ画像に示される前記複数の音楽データに関して、前記カラオケ装置により各音楽データに対応する演奏曲が出力可能か否かを一括して前記サーバ装置に照会する照会制御手段と、
前記音楽データ画像に示される前記複数の音楽データのうち、該照会制御手段による照会結果として前記カラオケ装置により出力可能とされた音楽データに対応する演奏曲を、前記カラオケ装置に対する選曲入力可能に前記タッチパネルディスプレイに表示させる照会結果表示制御手段とを、備え、
前記照会制御手段は、前記音楽データ画像表示制御手段により前記音楽データ画像が前記タッチパネルディスプレイに表示されるのと同期して該音楽データ画像に示される前記複数の音楽データに関する前記照会を行うものであり、
前記音楽データ画像表示制御手段は、前記タッチパネルディスプレイに対する利用者の接触に応じて、前記音楽データ画像を該タッチパネルディスプレイの画面における所定方向にスクロール表示させるものであり、
前記照会制御手段は、前記音楽データ画像表示制御手段による前記音楽データ画像のスクロール表示が停止して該音楽データ画像が定まった時点で該音楽データ画像に示される前記複数の音楽データに関する前記照会を行うものである
ことを特徴とする携帯型情報通信端末。
【請求項２】
前記照会制御手段による照会結果として前記カラオケ装置に対する選曲入力の可否を記憶する照会結果データベースを備え、
前記照会制御手段は、前記音楽データ画像表示制御手段により表示される前記音楽データ画像に示される音楽データであっても、前記照会結果データベースに前記カラオケ装置に対する選曲入力の可否が記憶された音楽データに関しては前記照会を行わないものである請求項１に記載の携帯型情報通信端末。
【請求項３】
前記照会制御手段は、前記音楽データ画像表示制御手段により表示される前記音楽データ画像に示される音楽データであって、前記照会結果データベースに前記カラオケ装置に対する選曲入力不可であることが記憶された音楽データに関しては、規定の条件が成立する場合に該音楽データに対応して再び前記照会を行うものである請求項２に記載の携帯型情報通信端末。
【請求項４】
多数のカラオケデータのうちから選択される所定のカラオケデータに対応する演奏曲を出力させると共に、通信回線を介してサーバ装置との間で情報の通信を行うカラオケ装置を備えた通信カラオケシステムにおいて、
画像を表示させると共に利用者の接触に応じて入力を受け付けるタッチパネルディスプレイと、
それぞれ所定の演奏曲に対応する、前記カラオケデータとは態様の異なる複数の音楽データを記憶する音楽データベースと
を、備えて、
前記サーバ装置との間で情報の通信を行う携帯型情報通信端末であって、
前記音楽データベースに記憶された複数の音楽データのうち一部を抽出し、抽出された複数の音楽データを示す音楽データ画像を前記タッチパネルディスプレイに表示させる音楽データ画像表示制御手段と、
該音楽データ画像表示制御手段により表示される前記音楽データ画像に示される前記複数の音楽データに関して、前記カラオケ装置により各音楽データに対応する演奏曲が出力可能か否かを一括して前記サーバ装置に照会する照会制御手段と、
前記音楽データ画像に示される前記複数の音楽データのうち、該照会制御手段による照会結果として前記カラオケ装置により出力可能とされた音楽データに対応する演奏曲を、前記カラオケ装置に対する選曲入力可能に前記タッチパネルディスプレイに表示させる照会結果表示制御手段と、
前記照会制御手段による照会結果として前記カラオケ装置に対する選曲入力の可否を記憶する照会結果データベースとを、備え、
前記照会制御手段は、前記音楽データ画像表示制御手段により表示される前記音楽データ画像に示される音楽データであっても、前記照会結果データベースに前記カラオケ装置に対する選曲入力の可否が記憶された音楽データに関しては前記照会を行わないものであるが、前記音楽データ画像表示制御手段により表示される前記音楽データ画像に示される音楽データであって、前記照会結果データベースに前記カラオケ装置に対する選曲入力不可であることが記憶された音楽データに関しては、規定の条件が成立する場合に該音楽データに対応して再び前記照会を行うものである
ことを特徴とする携帯型情報通信端末。
【請求項５】
多数のカラオケデータのうちから選択される所定のカラオケデータに対応する演奏曲を出力させると共に、通信回線を介してサーバ装置との間で情報の通信を行うカラオケ装置を備えた通信カラオケシステムにおいて、
画像を表示させると共に利用者の接触に応じて入力を受け付けるタッチパネルディスプレイと、
それぞれ所定の演奏曲に対応する、前記カラオケデータとは態様の異なる複数の音楽データを記憶する音楽データベースと
を、備えて、
前記サーバ装置との間で情報の通信を行う携帯型情報通信端末の、制御装置として機能するコンピュータを、
前記音楽データベースに記憶された複数の音楽データのうち一部を抽出し、抽出された複数の音楽データを示す音楽データ画像を前記タッチパネルディスプレイに表示させる音楽データ画像表示制御手段、
該音楽データ画像表示制御手段により表示される前記音楽データ画像に示される前記複数の音楽データに関して、前記カラオケ装置により各音楽データに対応する演奏曲が出力可能か否かを一括して前記サーバ装置に照会する照会制御手段、
及び、
前記音楽データ画像に示される前記複数の音楽データのうち、該照会制御手段による照会結果として前記カラオケ装置により出力可能とされた音楽データに対応する演奏曲を、前記カラオケ装置に対する選曲入力可能に前記タッチパネルディスプレイに表示させる照会結果表示制御手段として機能させるとともに、
さらに、前記コンピュータを、前記照会制御手段では、前記音楽データ画像表示制御手段により前記音楽データ画像が前記タッチパネルディスプレイに表示されるのと同期して該音楽データ画像に示される前記複数の音楽データに関する前記照会を行わせるものとして機能させ、
前記音楽データ画像表示制御手段では、前記タッチパネルディスプレイに対する利用者の接触に応じて、前記音楽データ画像を該タッチパネルディスプレイの画面における所定方向にスクロール表示させるものとして機能させ、
前記照会制御手段では、前記音楽データ画像表示制御手段による前記音楽データ画像のスクロール表示が停止して該音楽データ画像が定まった時点で該音楽データ画像に示される前記複数の音楽データに関する前記照会を行わせるものとして機能させる
ことを特徴とする携帯型情報通信端末の情報通信プログラム。
【請求項６】
多数のカラオケデータのうちから選択される所定のカラオケデータに対応する演奏曲を出力させると共に、通信回線を介してサーバ装置との間で情報の通信を行うカラオケ装置を備えた通信カラオケシステムにおいて、
画像を表示させると共に利用者の接触に応じて入力を受け付けるタッチパネルディスプレイと、
それぞれ所定の演奏曲に対応する、前記カラオケデータとは態様の異なる複数の音楽データを記憶する音楽データベースと
を、備えて、
前記サーバ装置との間で情報の通信を行う携帯型情報通信端末の、制御装置として機能するコンピュータを、
前記音楽データベースに記憶された複数の音楽データのうち一部を抽出し、抽出された複数の音楽データを示す音楽データ画像を前記タッチパネルディスプレイに表示させる音楽データ画像表示制御手段、
該音楽データ画像表示制御手段により表示される前記音楽データ画像に示される前記複数の音楽データに関して、前記カラオケ装置により各音楽データに対応する演奏曲が出力可能か否かを一括して前記サーバ装置に照会する照会制御手段、及び、
前記音楽データ画像に示される前記複数の音楽データのうち、該照会制御手段による照会結果として前記カラオケ装置により出力可能とされた音楽データに対応する演奏曲を、前記カラオケ装置に対する選曲入力可能に前記タッチパネルディスプレイに表示させる照会結果表示制御手段として機能させるとともに、
前記携帯型情報通信端末は、前記照会制御手段による照会結果として前記カラオケ装置に対する選曲入力の可否を記憶する照会結果データベースとを、さらに備え、
さらに、前記コンピュータを、前記照会制御手段では、前記音楽データ画像表示制御手段により表示される前記音楽データ画像に示される音楽データであっても、前記照会結果データベースに前記カラオケ装置に対する選曲入力の可否が記憶された音楽データに関しては前記照会を行わせないが、前記音楽データ画像表示制御手段により表示される前記音楽データ画像に示される音楽データであって、前記照会結果データベースに前記カラオケ装置に対する選曲入力不可であることが記憶された音楽データに関しては、規定の条件が成立する場合に該音楽データに対応して再び前記照会を行わせるものとして機能させる
ことを特徴とする携帯型情報通信端末の情報通信プログラム。
【発明の詳細な説明】
【技術分野】
【０００１】
本発明は、通信カラオケシステムのサーバ装置との間で情報の通信を行う携帯型情報通信端末及びその情報通信プログラムに関し、特に、カラオケ装置により出力可能なカラオケデータの照会を簡便なものとするための改良に関する。
【背景技術】
【０００２】
多数の演奏曲のうちから選択される演奏曲を出力させる音楽再生装置が知られている。例えば、カラオケボックス等で使用されるカラオケ装置がそれである。斯かるカラオケ装置によれば、予め記憶装置に記憶された多数のカラオケ演奏曲から選択されたカラオケ演奏曲の音楽情報を出力させると共に、そのカラオケ演奏曲の歌詞情報を含む映像をその出力に同期して画面に表示させることで、所望の歌のカラオケ演奏を楽しむことができる。
【０００３】
前記カラオケ装置の遠隔入力装置として、例えば携帯電話機等の携帯型情報通信端末を用いる技術が知られている。例えば、特許文献１に記憶されたカラオケシステムがそれである。この技術によれば、携帯電話機等のデジタル再生装置に記憶されたプレイリストに関して、カラオケユニット側でそのプレイリストに含まれる楽曲情報データに対応する楽曲を検索し、検索された楽曲に基づいて再生楽曲リストを作成することで、携帯電話機等のデジタル再生装置に記憶されたプレイリストに基づいて簡便にカラオケユニットに対する選曲入力を行うことができるとされている。
【先行技術文献】
【特許文献】
【０００４】
【特許文献１】特開２００８−１５８０４８号公報
【発明の概要】
【発明が解決しようとする課題】
【０００５】
ところで、昨今の技術進歩に伴い、携帯電話機等の携帯型情報通信端末に備えられる記憶装置は大容量化し、例えば数千曲もの音楽データを記憶する形態も稀ではない。しかし、斯かる前提において前記従来の技術により選曲入力を行うことを考えた場合、携帯型情報通信端末の記憶装置に記憶されたすべての音楽データに関して対応するカラオケデータを検索することで高負荷となり、判定に多大な時間を要するという弊害があった。とりわけ、タッチパネルディスプレイを備えて直感的な操作により画面表示及び入力操作を行う所謂スマートフォン等においては、操作に対する応答に即時性が要求されるが、上記のように応答が遅れることで利用者にストレスを与えるおそれがある。このため、カラオケ装置により出力可能なカラオケデータの照会を簡便なものとする携帯型情報通信端末及び情報通信プログラムの開発が求められていた。
【０００６】
本発明は、以上の事情を背景として為されたものであり、その目的とするところは、カラオケ装置により出力可能なカラオケデータの照会を簡便なものとする携帯型情報通信端末及び情報通信プログラムを提供することにある。
【課題を解決するための手段】
【０００７】
斯かる目的を達成するために、第１発明の要旨とするところは、（ａ）多数のカラオケデータのうちから選択される所定のカラオケデータに対応する演奏曲を出力させると共に、通信回線を介してサーバ装置との間で情報の通信を行うカラオケ装置を備えた通信カラオケシステムにおいて、画像を表示させると共に利用者の接触に応じて入力を受け付けるタッチパネルディスプレイと、それぞれ所定の演奏曲に対応する、前記カラオケデータとは態様の異なる複数の音楽データを記憶する音楽データベースとを、備えて、前記サーバ装置との間で情報の通信を行う携帯型情報通信端末であって、（ｂ）前記音楽データベースに記憶された複数の音楽データのうち一部を抽出し、抽出された複数の音楽データを示す音楽データ画像を前記タッチパネルディスプレイに表示させる音楽データ画像表示制御手段と、（ｃ）その音楽データ画像表示制御手段により表示される前記音楽データ画像に示される前記複数の音楽データに関して、前記カラオケ装置により各音楽データに対応する演奏曲が出力可能か否かを一括して前記サーバ装置に照会する照会制御手段と、（ｄ）前記音楽データ画像に示される前記複数の音楽データのうち、その照会制御手段による照会結果として前記カラオケ装置により出力可能とされた音楽データに対応する演奏曲を、前記カラオケ装置に対する選曲入力可能に前記タッチパネルディスプレイに表示させる照会結果表示制御手段とを、備え、（ｅ）前記照会制御手段は、前記音楽データ画像表示制御手段により前記音楽データ画像が前記タッチパネルディスプレイに表示されるのと同期して該音楽データ画像に示される前記複数の音楽データに関する前記照会を行うものであり、（ｆ）前記音楽データ画像表示制御手段は、前記タッチパネルディスプレイに対する利用者の接触に応じて、前記音楽データ画像を該タッチパネルディスプレイの画面における所定方向にスクロール表示させるものであり、（ｇ）前記照会制御手段は、前記音楽データ画像表示制御手段による前記音楽データ画像のスクロール表示が停止して該音楽データ画像が定まった時点で該音楽データ画像に示される前記複数の音楽データに関する前記照会を行うものであることを特徴とするものである。
また、第２発明の要旨とするところは、（ａ）多数のカラオケデータのうちから選択される所定のカラオケデータに対応する演奏曲を出力させると共に、通信回線を介してサーバ装置との間で情報の通信を行うカラオケ装置を備えた通信カラオケシステムにおいて、画像を表示させると共に利用者の接触に応じて入力を受け付けるタッチパネルディスプレイと、それぞれ所定の演奏曲に対応する、前記カラオケデータとは態様の異なる複数の音楽データを記憶する音楽データベースとを、備えて、前記サーバ装置との間で情報の通信を行う携帯型情報通信端末であって、（ｂ）前記音楽データベースに記憶された複数の音楽データのうち一部を抽出し、抽出された複数の音楽データを示す音楽データ画像を前記タッチパネルディスプレイに表示させる音楽データ画像表示制御手段と、（ｃ）その音楽データ画像表示制御手段により表示される前記音楽データ画像に示される前記複数の音楽データに関して、前記カラオケ装置により各音楽データに対応する演奏曲が出力可能か否かを一括して前記サーバ装置に照会する照会制御手段と、（ｄ）前記音楽データ画像に示される前記複数の音楽データのうち、該照会制御手段による照会結果として前記カラオケ装置により出力可能とされた音楽データに対応する演奏曲を、前記カラオケ装置に対する選曲入力可能に前記タッチパネルディスプレイに表示させる照会結果表示制御手段と、（ｅ）前記照会制御手段による照会結果として前記カラオケ装置に対する選曲入力の可否を記憶する照会結果データベースとを、備え、（ｆ）前記照会制御手段は、前記音楽データ画像表示制御手段により表示される前記音楽データ画像に示される音楽データであっても、前記照会結果データベースに前記カラオケ装置に対する選曲入力の可否が記憶された音楽データに関しては前記照会を行わないものであるが、前記音楽データ画像表示制御手段により表示される前記音楽データ画像に示される音楽データであって、前記照会結果データベースに前記カラオケ装置に対する選曲入力不可であることが記憶された音楽データに関しては、規定の条件が成立する場合に該音楽データに対応して再び前記照会を行うものであることを特徴とする。
【０００８】
また、第３発明の要旨とするところは、（ａ）多数のカラオケデータのうちから選択される所定のカラオケデータに対応する演奏曲を出力させると共に、通信回線を介してサーバ装置との間で情報の通信を行うカラオケ装置を備えた通信カラオケシステムにおいて、画像を表示させると共に利用者の接触に応じて入力を受け付けるタッチパネルディスプレイと、それぞれ所定の演奏曲に対応する、前記カラオケデータとは態様の異なる複数の音楽データを記憶する音楽データベースとを、備えて、前記サーバ装置との間で情報の通信を行う携帯型情報通信端末の、制御装置として機能するコンピュータを、（ｂ）前記音楽データベースに記憶された複数の音楽データのうち一部を抽出し、抽出された複数の音楽データを示す音楽データ画像を前記タッチパネルディスプレイに表示させる音楽データ画像表示制御手段、（ｃ）その音楽データ画像表示制御手段により表示される前記音楽データ画像に示される前記複数の音楽データに関して、前記カラオケ装置により各音楽データに対応する演奏曲が出力可能か否かを一括して前記サーバ装置に照会する照会制御手段、及び、（ｄ）前記音楽データ画像に示される前記複数の音楽データのうち、該照会制御手段による照会結果として前記カラオケ装置により出力可能とされた音楽データに対応する演奏曲を、前記カラオケ装置に対する選曲入力可能に前記タッチパネルディスプレイに表示させる照会結果表示制御手段として機能させるとともに、（ｅ）さらに、前記コンピュータを、前記照会制御手段では、前記音楽データ画像表示制御手段により前記音楽データ画像が前記タッチパネルディスプレイに表示されるのと同期して該音楽データ画像に示される前記複数の音楽データに関する前記照会を行わせるものとして機能させ、（ｆ）前記音楽データ画像表示制御手段では、前記タッチパネルディスプレイに対する利用者の接触に応じて、前記音楽データ画像を該タッチパネルディスプレイの画面における所定方向にスクロール表示させるものとして機能させ、（ｇ）前記照会制御手段では、前記音楽データ画像表示制御手段による前記音楽データ画像のスクロール表示が停止して該音楽データ画像が定まった時点で該音楽データ画像に示される前記複数の音楽データに関する前記照会を行わせるものとして機能させることを特徴とする携帯型情報通信端末の情報通信プログラムである。
また、第４発明の要旨とするところは、（ａ）多数のカラオケデータのうちから選択される所定のカラオケデータに対応する演奏曲を出力させると共に、通信回線を介してサーバ装置との間で情報の通信を行うカラオケ装置を備えた通信カラオケシステムにおいて、画像を表示させると共に利用者の接触に応じて入力を受け付けるタッチパネルディスプレイと、それぞれ所定の演奏曲に対応する、前記カラオケデータとは態様の異なる複数の音楽データを記憶する音楽データベースとを、備えて、前記サーバ装置との間で情報の通信を行う携帯型情報通信端末の、制御装置として機能するコンピュータを、（ｂ）前記音楽データベースに記憶された複数の音楽データのうち一部を抽出し、抽出された複数の音楽データを示す音楽データ画像を前記タッチパネルディスプレイに表示させる音楽データ画像表示制御手段、（ｃ）その該音楽データ画像表示制御手段により表示される前記音楽データ画像に示される前記複数の音楽データに関して、前記カラオケ装置により各音楽データに対応する演奏曲が出力可能か否かを一括して前記サーバ装置に照会する照会制御手段、及び、（ｄ）前記音楽データ画像に示される前記複数の音楽データのうち、該照会制御手段による照会結果として前記カラオケ装置により出力可能とされた音楽データに対応する演奏曲を、前記カラオケ装置に対する選曲入力可能に前記タッチパネルディスプレイに表示させる照会結果表示制御手段として機能させるとともに、（ｅ）前記携帯型情報通信端末は、前記照会制御手段による照会結果として前記カラオケ装置に対する選曲入力の可否を記憶する照会結果データベースとを、さらに備え、（ｆ）さらに、前記コンピュータを、前記照会制御手段では、前記音楽データ画像表示制御手段により表示される前記音楽データ画像に示される音楽データであっても、前記照会結果データベースに前記カラオケ装置に対する選曲入力の可否が記憶された音楽データに関しては前記照会を行わせないが、前記音楽データ画像表示制御手段により表示される前記音楽データ画像に示される音楽データであって、前記照会結果データベースに前記カラオケ装置に対する選曲入力不可であることが記憶された音楽データに関しては、規定の条件が成立する場合に該音楽データに対応して再び前記照会を行わせるものとして機能させることを特徴とする携帯型情報通信端末の情報通信プログラムである。
【発明の効果】
【０００９】
このように、前記第１発明或いは第３発明によれば、前記音楽データベースに記憶された複数の音楽データのうち一部を抽出し、抽出された複数の音楽データを示す音楽データ画像を前記タッチパネルディスプレイに表示させる音楽データ画像表示制御手段と、その音楽データ画像表示制御手段により表示される前記音楽データ画像に示される前記複数の音楽データに関して、前記カラオケ装置により各音楽データに対応する演奏曲が出力可能か否かを一括して前記サーバ装置に照会する照会制御手段と、前記音楽データ画像に示される前記複数の音楽データのうち、その照会制御手段による照会結果として前記カラオケ装置により出力可能とされた音楽データに対応する演奏曲を、前記カラオケ装置に対する選曲入力可能に前記タッチパネルディスプレイに表示させる照会結果表示制御手段とを、備えたものであることから、前記タッチパネルディスプレイに表示されている複数の音楽データに限定してカラオケデータの有無を問い合わせることで、負荷を低減して速やかに処理を行うことができることに加え、直感的な選曲入力操作につながる画面表示を実現することができる。すなわち、カラオケ装置により出力可能なカラオケデータの照会を簡便なものとする携帯型情報通信端末を提供することができる。
【００１０】
また、前記第１発明或いは第３発明によれば、前記照会制御手段は、前記音楽データ画像表示制御手段により前記音楽データ画像が前記タッチパネルディスプレイに表示されるのと同期してその音楽データ画像に示される前記複数の音楽データに関する前記照会を行うものである。このため、複数の音楽データを含む画面が前記タッチパネルディスプレイに表示された時点で対応するカラオケデータの照会延いては照会結果の表示が行われることで、更なる直感的な選曲入力操作につながる画面表示を実現することができる。
【００１１】
また、第１発明或いは第３発明によれば、前記音楽データ画像表示制御手段は、前記タッチパネルディスプレイに対する利用者の接触に応じて、前記音楽データ画像をそのタッチパネルディスプレイの画面における所定方向にスクロール表示させるものであり、前記照会制御手段は、前記音楽データ画像表示制御手段による前記音楽データ画像のスクロール表示が停止してその音楽データ画像が定まった時点でその音楽データ画像に示される前記複数の音楽データに関する前記照会を行うものである。このため、複数の音楽データを含む画面のスクロールが終了した時点で対応するカラオケデータの照会延いては照会結果の表示が行われることで、更なる直感的な選曲入力操作につながる画面表示を実現することができる。
【００１４】
また、前記第２発明或いは第４発明によれば、前記携帯型情報通信端末の制御装置を、前記音楽データベースに記憶された複数の音楽データのうち一部を抽出し、抽出された複数の音楽データを示す音楽データ画像を前記タッチパネルディスプレイに表示させる音楽データ画像表示制御手段、その音楽データ画像表示制御手段により表示される前記音楽データ画像に示される前記複数の音楽データに関して、前記カラオケ装置により各音楽データに対応する演奏曲が出力可能か否かを一括して前記サーバ装置に照会する照会制御手段、及び、前記音楽データ画像に示される前記複数の音楽データのうち、その照会制御手段による照会結果として前記カラオケ装置により出力可能とされた音楽データに対応する演奏曲を、前記カラオケ装置に対する選曲入力可能に前記タッチパネルディスプレイに表示させる照会結果表示制御手段として機能させることを特徴とする情報通信プログラムであることから、前記タッチパネルディスプレイに表示されている複数の音楽データに限定してカラオケデータの有無を問い合わせることで、負荷を低減して速やかに処理を行うことができることに加え、直感的な選曲入力操作につながる画面表示を実現することができる。すなわち、カラオケ装置により出力可能なカラオケデータの照会を簡便なものとする携帯型情報通信端末用情報通信プログラムを提供することができる。
また、前記第２発明或いは第４発明によれば、前記照会制御手段による照会結果として前記カラオケ装置に対する選曲入力の可否を記憶する照会結果データベースを備え、前記照会制御手段は、前記音楽データ画像表示制御手段により表示される前記音楽データ画像に示される音楽データであっても、前記照会結果データベースに前記カラオケ装置に対する選曲入力の可否が記憶された音楽データに関しては前記照会を行わないものである。このため、カラオケデータの有無の問い合わせに係る処理の負荷を更に低減することができる。
また、第２発明或いは第４発明によれば、前記照会制御手段は、前記音楽データ画像表示制御手段により表示される前記音楽データ画像に示される音楽データであって、前記照会結果データベースに前記カラオケ装置に対する選曲入力不可であることが記憶された音楽データに関しては、規定の条件が成立する場合にその音楽データに対応して再び前記照会を行うものである。このため、一度は前記カラオケ装置に対する選曲入力不可であると判定された演奏曲についても、例えば所定期間が経過することで新譜として登録される可能性を考慮し、更に利便性の高いカラオケデータの有無の問い合わせを実現できる。
【図面の簡単な説明】
【００１５】
【図１】本発明が好適に用いられる通信カラオケシステムの構成を説明する図である。
【図２】図１の通信カラオケシステムに備えられたカラオケ装置の構成を例示するブロック線図である。
【図３】図２のカラオケ装置におけるコマンダ本体に設けられたタッチパネルディスプレイについて説明する図である。
【図４】図１の通信カラオケシステムに備えられた電子早見本装置の構成を例示するブロック線図である。
【図５】図１の通信カラオケシステムに備えられたサーバ装置の構成を例示する図である。
【図６】本発明の携帯型情報通信端末の一実施例である携帯電話機の構成を例示する図である。
【図７】図５に示すサーバ装置のＣＰＵ及び図６に示す携帯電話機のＣＰＵ等に備えられた制御機能の要部を説明する機能ブロック線図である。
【図８】図５に示すサーバ装置に備えられたカラオケデータベースの記憶内容を例示する図である。
【図９】図１に示す通信カラオケシステムにおける、複数種類の曲タイプの優先順位について説明する図である。
【図１０】図６に示す携帯電話機に備えられた音楽データベースの記憶内容を例示する図である。
【図１１】図６に示す携帯電話機に備えられた照会結果データベースの記憶内容を例示する図である。
【図１２】図６に示す携帯電話機のタッチパネルディスプレイに表示されるカラオケ選曲入力機能のトップ画面を例示する図である。
【図１３】図６に示す携帯電話機のタッチパネルディスプレイに表示される再生回数上位曲画面を例示する図である。
【図１４】図６に示す携帯電話機のタッチパネルディスプレイに表示される再生回数上位曲画面がスクロール表示させられる様子を示す図である。
【図１５】図６に示す携帯電話機のタッチパネルディスプレイに表示される選曲入力候補曲画面を例示する図である。
【図１６】図６に示す携帯電話機のタッチパネルディスプレイに表示される選曲入力候補不在通知画面を例示する図である。
【図１７】図６に示す携帯電話機のタッチパネルディスプレイに表示される選曲入力画面を例示する図である。
【図１８】図１３に示す再生回数上位曲画面における各曲ボタンに対応してカラオケ装置に対する選曲入力の可否が付加表示された画面を例示する図である。
【図１９】本実施例との対比のために従来の携帯型情報通信端末によるカラオケ装置に対する選曲入力機能の問題点について説明する図である。
【図２０】図６に示す携帯電話機のＣＰＵによるカラオケ演奏可否判定制御の要部を説明するフローチャートである。
【図２１】図６に示す携帯電話機のＣＰＵによる他のカラオケ演奏可否判定制御の要部を説明するフローチャートである。
【図２２】図５に示すサーバ装置のＣＰＵによるカラオケ演奏可否判定制御の要部を説明するフローチャートである。
【図２３】図６に示す携帯電話機のＣＰＵによるカラオケ選曲入力制御の要部を説明するフローチャートである。
【図２４】図１に示す、携帯電話機の選曲入力を中継するサーバ装置のＣＰＵによるカラオケ選曲入力制御の要部を説明するフローチャートである。
【図２５】図６に示す携帯電話機のＣＰＵによる他のカラオケ選曲入力制御の要部を説明するフローチャートである。
【図２６】図６に示す携帯電話機による照会制御及び照会結果表示制御の具体例として、タッチパネルディスプレイに表示される画面の遷移を示す図である。
【図２７】図６に示す携帯電話機による照会制御及び照会結果表示制御の具体例として、タッチパネルディスプレイに表示される画面の遷移を示す図である。
【図２８】図６に示す携帯電話機による照会制御及び照会結果表示制御の具体例として、タッチパネルディスプレイに表示される画面の遷移を示す図である。
【図２９】図６に示す携帯電話機による照会制御及び照会結果表示制御の具体例として、タッチパネルディスプレイに表示される画面の遷移を示す図である。
【発明を実施するための形態】
【００１６】
以下、本発明の好適な実施例を図面に基づいて詳細に説明する。
【実施例】
【００１７】
図１は、本発明が好適に用いられる通信カラオケシステム１０の構成を説明する図である。この図１に示す通信カラオケシステム１０においては、カラオケボックス、スナック、旅館等の店舗１２における複数の個室１４ａ、１４ｂ、１４ｃ、・・・（以下、特に区別しない場合には単に個室１４と称する）にそれぞれ１台乃至は複数台ずつ（図１では１台ずつ）カラオケ装置１６ａ、１６ｂ、１６ｃ、・・・（以下、特に区別しない場合には単にカラオケ装置１６と称する）が設置されている。これら複数のカラオケ装置１６は、ルータ２８を介して通信回線１８に接続されており、同様にその通信回線１８に接続されたサーバ装置２０等との相互間でその通信回線１８を介して情報の通信が可能とされている。
【００１８】
前記通信カラオケシステム１０は、それぞれ機種の異なる複数種類のカラオケ装置１６を備えている。この機種とは、前記カラオケ装置１６の仕様を定めるものであり、例えば各カラオケ装置１６の型番に相当するものである。特に、本実施例においては、後述するように前記通信カラオケシステム１０において配信されるカラオケデータに複数種類の曲タイプが存在する場合において、各曲タイプ毎に該当するカラオケデータを出力可能とする前記カラオケ装置１６の機種の範囲が異なるものである。すなわち、型番が異なるカラオケ装置１６であっても、同一の時期にリリースされた、出力可能であるカラオケデータの曲タイプが共通するカラオケ装置１６を同一機種とみなすものであってもよい。また、前記複数のカラオケ装置１６は、好適には、固有の識別情報としての装置ＩＤ（シリアルナンバー等）をそれぞれ有し、その装置ＩＤにより各カラオケ装置１６が識別されるものである。
【００１９】
また、前記通信カラオケシステム１０は、複数の電子早見本装置２２ａ、２２ｂ、２２ｃ、・・・（以下、特に区別しない場合には単に電子早見本装置２２と称する）を備えており、前記カラオケ装置１６の利用に際して、各利用者（グループ）毎に１台乃至数台ずつの前記電子早見本装置２２が貸与され、各個室１４において後述するように前記カラオケ装置１６との間で対応付け処理が行われることで、そのカラオケ装置１６の遠隔操作装置として用いられるようになっている。また、図１に示すように、前記店舗１２内には前記複数のカラオケ装置１６を相互に接続するＬＡＮ２４が敷設されており、前記電子早見本装置２２からのカラオケ装置１６への入力は、所定のアクセスポイント２６及びＬＡＮ２４を介したＬＡＮ通信等により行われる。
【００２０】
前記通信回線１８は、例えば公衆電話回線、ＡＤＳＬ回線、或いは光ファイバ回線等から構成されるＷＷＷ（World Wide Web）等のインターネットに接続された広域情報通信網である。また、前記サーバ装置２０は、例えば、前記通信カラオケシステム１０を管理する情報配信サービス提供会社によって運営されるサーバであり、その通信カラオケシステム１０におけるカラオケデータ（楽曲データ）、背景映像情報、曲間情報等のデジタルコンテンツ（Digital Contents）の保管や入出力管理の基本的な制御を行うセンタ装置として機能する。また、前記通信カラオケシステム１０を利用する各利用者毎の、前記カラオケ装置１６を用いたカラオケ演奏に関する情報を、その利用者の識別情報（ユーザＩＤ）と対応付けて記憶するＳＮＳデータベース１２８（図５を参照）を管理するデータベースサーバとして機能する。なお、本実施例においては、前記通信カラオケシステム１０のセンタ装置としての機能及びデータベースサーバとしての機能を兼ね備えた単一の前記サーバ装置２０を備えた構成について説明するが、それらセンタ装置及びデータベースサーバが個別のサーバ装置として構成されたものであってもよい。また、後述する前記サーバ装置２０による各種制御が、複数のサーバ装置により分散的に実行される等の態様も考えられる。
【００２１】
図１に示すように、本実施例の通信カラオケシステム１０は、前記通信回線１８を介して複数のシステム乃至通信端末装置との間で相互に情報の送受信が可能とされている。すなわち、本発明の一実施例である携帯型情報通信端末としての携帯電話機３０及びタブレット３２等が中継基地局３４を介して前記通信回線１８に接続されており、それら携帯電話機３０及びタブレット３２等と前記サーバ装置２０等との間で相互に情報の送受信が可能とされている。また、その通信回線１８には、前記携帯電話機３０及びタブレット３２等から前記カラオケ装置１６に対する選曲入力等の情報を中継する所謂プロキシサーバ（proxy server）としてのサーバ装置３６が接続されており、前記携帯電話機３０及びタブレット３２等から前記カラオケ装置１６への情報の入力は、好適には、前記サーバ装置３６を中継して行われるようになっている。ここで、前記携帯電話機３０及びタブレット３２等と前記サーバ装置３６との間の通信回線は、そのサーバ装置３６と前記カラオケ装置１６との間の通信回線と態様の異なるものであっても構わない。例えば、前記携帯電話機３０及びタブレット３２等と前記サーバ装置３６との間が一般回線により接続され、そのサーバ装置３６と前記カラオケ装置１６との間が専用回線により接続されるものであってもよい。
【００２２】
図２は、前記カラオケ装置１６の構成を例示するブロック線図である。この図２に示すように、前記カラオケ装置１６は、ＴＦＴ（Thin Film Transistor Liquid Crystal）やＰＤＰ（Plasma Display Panel）等の映像表示装置４０と、ビデオボード（グラフィックスボード）等の映像出力制御部４２と、映像情報デコーダ４４と、ビデオミキサ４６と、音源であるシンセサイザ４８と、音声入力装置であるマイクロフォン５０と、アンプミキサ５２と、スピーカ５４と、操作パネル５６と、その操作パネル５６等からの入力信号を処理する入出力インターフェイス５８と、中央演算処理装置であるＣＰＵ６０と、読出専用メモリであるＲＯＭ６２と、随時書込読出メモリであるＲＡＭ６４と、記憶装置であるハードディスク６６と、モデム６８と、ＬＡＮポート７０と、前記電子早見本装置２２やリモコン装置７４等の入力装置からのリモコン信号を受信するためのリモコン受信部７２とを、備えて構成されている。
【００２３】
前記映像出力制御部４２は、前記ＣＰＵ６０において生成された歌詞文字映像等の文字映像（テロップ）を出力する文字映像出力装置として機能する他、前記映像表示装置４０による種々の映像表示を制御する表示制御装置である。また、前記映像情報デコーダ４４は、利用者が歌詞を参照しながら歌唱する際に前記ハードディスク６６に記憶された背景映像情報に基づいて所定の背景映像を再生（デコード）する背景映像再生装置である。この背景映像情報は、例えば、ＭＰＥＧ（Moving Picture Experts Group）形式のデータであり、そのＭＰＥＧデータに基づいて前記映像情報デコーダ４４により再生された背景映像は、前記ビデオミキサ４６へ送られる。また、そのビデオミキサ４６は、前記ＣＰＵ６０において生成され且つ前記映像出力制御部４２から出力される文字映像と、前記映像情報デコーダ４４により再生される背景映像とを合成して前記映像表示装置４０に表示させる映像合成装置である。
【００２４】
前記シンセサイザ４８は、前記ハードディスク６６から読み出されて送られて来るカラオケ演奏曲の演奏情報に基づいて楽器の演奏信号等の音楽信号を生成する音源である。この演奏情報は、例えば、ＭＩＤＩ（Musical Instrument Digital Interface）形式のデータであり、そのＭＩＤＩデータに基づいて前記シンセサイザ４８により生成された音楽信号は、アナログ信号に変換されて前記アンプミキサ５２へ送られる。そのアンプミキサ５２では、送られてきた音楽信号と前記マイクロフォン５０を介して入力される利用者（演奏者）の歌声とがミキシングされ、それらの信号が電気的に増幅されて前記スピーカ５４から出力される。
【００２５】
前記操作パネル５６は、前記カラオケ装置１６の利用者が歌いたいカラオケ演奏曲を選択したり、演奏曲の音程を調整したり、演奏と歌との音量バランスを調整したり、その他、エコー、音量、トーン等の各種調整を行うための操作ボタン（スイッチ）或いはつまみを備えた入力装置である。また、前記カラオケ装置１６は、例えば図３に示すように、前記ＣＰＵ６０やシンセサイザ４８等を格納するコマンダ本体３８にタッチパネルディスプレイ７６を備えたものであってもよい。このタッチパネルディスプレイ７６は、画像（映像）を表示させると共に利用者の接触に応じて前記カラオケ装置１６への入力を行うものであり、好適には、前記コマンダ本体３８における表側の平面部（カラオケボックス等に設置される場合に、利用者側とされる面）に設けられる。斯かる態様において、前記タッチパネルディスプレイ７６は、前記映像表示装置４０とは別に第２の映像表示装置として機能すると共に、前記カラオケ装置１６の利用者が歌いたいカラオケ演奏曲を選択したり、演奏曲の音程を調整したり、演奏と歌との音量バランスを調整したり、その他、エコー、音量、トーン等の各種調整を行うための操作パネルとして機能する。例えば、図３に示す例では、前記タッチパネルディスプレイ７６にそれぞれ個別の文字（例えば、五十音の文字やアルファベット等）を示す複数の文字ボタン７８が表示された状態を示している。このタッチパネルディスプレイ７６に表示された文字ボタン７８（タッチパネルにおける文字ボタン７８に対応する相対位置）に対する利用者の指や備え付けのペン等による接触操作が行われると、それら文字ボタン７８によって示される文字乃至文字列の入力が行われる。そして、斯かる操作により入力された文字乃至文字列に基づいて、それらの文字乃至文字列に前方一致する歌手名乃至曲名が検索される等、前記カラオケ装置１６の利用者が歌いたいカラオケ演奏曲の検索乃至選曲入力が前記タッチパネルディスプレイ７６を介して行われる。
【００２６】
また、前記カラオケ装置１６には、前記操作パネル５６の一部機能を遠隔で実行するための入力装置として機能するリモコン装置７４が備えられており、前記リモコン受信部７２は、そのリモコン装置７４から送信されるリモコン信号を受信して前記ＣＰＵ６０へ供給する。また、前記カラオケ装置１６と電子早見本装置２２との対応付け（くくりつけ）処理も前記リモコン受信部７２を介して行われ、そのようにして前記カラオケ装置１６に対応付けられた電子早見本装置２２も同様に入力装置として機能する。なお、本実施例においては、前記カラオケ装置１６に備えられたリモコン装置７４や対応付け処理の行われた電子早見本装置２２等の入力装置もそのカラオケ装置１６の一部を構成するものであるとして以下の説明を行う。また、前記通信カラオケシステム１０に備えられた前記携帯電話機３０やタブレット３２等の携帯型情報通信端末も、同様に前記カラオケ装置１６の入力装置として機能する。斯かる携帯型情報通信端末による前記カラオケ装置１６に対する選曲入力等の処理に関しては、図１２〜図１９等を参照して後述する。
【００２７】
前記ＣＰＵ６０は、前記ＲＡＭ６４の一時記憶機能を利用しつつ前記ＲＯＭ６２に予め記憶された所定のプログラムに基づいて電子情報を処理・制御する所謂マイクロコンピュータであり、前記カラオケ装置１６に係る各種制御を実行する。すなわち、前記電子早見本装置２２や携帯電話機３０等により所定のカラオケ演奏曲が選曲入力された場合、その選曲入力されたカラオケ演奏曲を前記ＲＡＭ６４に設けられた予約曲テーブルに登録する選曲予約制御、その予約曲テーブルの演奏順に従って前記ハードディスク６６から前記ＲＡＭ６４に選曲されたカラオケ演奏曲の演奏情報及び歌詞情報（カラオケデータ）を読み出すカラオケデータ読出制御、カラオケ演奏曲の演奏が進行するのに応じてそのＲＡＭ６４から前記シンセサイザ４８へ演奏情報を送信する演奏出力制御、その演奏出力制御に際して前記ＲＡＭ６４に展開された歌詞情報に基づいて歌詞文字映像を生成して前記映像出力制御部４２へ送信する歌詞文字映像出力制御、前記演奏出力制御に際して前記映像情報デコーダ４４を制御して所定の背景映像を再生させる背景映像出力制御、カラオケ演奏が行われていない間すなわち曲間において、新譜情報、選曲ランキング、店舗広告等の曲間情報を出力させる曲間情報出力制御、及び前記通信回線１８を介した前記サーバ装置２０等との間の情報通信制御等の基本的な制御を実行する。
【００２８】
前記モデム６８は、前記カラオケ装置１６を前記通信回線１８に接続するための装置であり、前記ＣＰＵ６０から出力されるディジタル信号をアナログ信号に変換して前記通信回線１８に送り出すと共に、その通信回線１８を介して伝送されるアナログ信号をディジタル信号に変換して前記ＣＰＵ６０に供給する処理を行う。なお、前記店舗１２に備えられた複数のカラオケ装置１６のうち何れかのカラオケ装置１６が前記ルータ２８の機能を備えてマスターコマンダとして前記通信回線１８に接続される態様も考えられ、その場合、前記モデム６８はそのマスターコマンダとして機能するカラオケ装置１６には必要とされるが、そのマスターコマンダを介して前記サーバ装置２０等との間で情報の通信を行う他のカラオケ装置１６には必ずしも設けられなくともよい。
【００２９】
前記ＬＡＮポート７０は、前記カラオケ装置１６をＬＡＮ２４を介して他のカラオケ装置１６や電子早見本装置２２等の他の機器に接続するための接続器であり、前記カラオケ装置１６は、そのようにＬＡＮ２４を介して接続されることで、他のカラオケ装置１６や電子早見本装置２２等の他の機器との間で情報の送受信が可能とされる。例えば、前記アクセスポイント２６を介して受信される前記電子早見本装置２２からの選曲入力を受け付けて前記ＲＡＭ６４に設けられた予約曲テーブルに記憶したり、そのアクセスポイント２６を介して前記カラオケ装置１６から電子早見本装置２２へ所定の情報を送信したりというように、電波を介して前記カラオケ装置１６と電子早見本装置２２との間における相互の情報のやりとりが実行される。また、前記通信回線１８を介しての前記電子早見本装置２２とサーバ装置２０等との間の通信も、このＬＡＮ２４乃至ルータ２８を備えたカラオケ装置１６を介して行われる。
【００３０】
前記ハードディスク６６には、カラオケ演奏曲を出力させるための多数のカラオケデータ（楽曲データ）を記憶するカラオケデータベースをはじめとする各種データベースが設けられている。カラオケボックス等の店舗にそれぞれ備えられた複数のカラオケ装置１６のうち所定のカラオケ装置１６例えば前記カラオケ装置１６ａは、前記モデム６８を介して前記通信回線１８に接続されており、前記複数のカラオケ装置１６によって常に新しい曲が演奏可能とされるように、随時新たなカラオケ情報等が前記サーバ装置２０から前記通信回線１８を介して配信され、前記ハードディスク６６のカラオケデータベース等に記憶される。また、そのようにして前記サーバ装置２０から情報を取得したカラオケ装置１６ａとその他のカラオケ装置１６との間で前記ＬＡＮ２４を介した通信が行われることにより、各カラオケ装置１６のハードディスク６６に記憶される情報が共有され、前記カラオケデータベース等の内容が等価なものとされる。このカラオケデータベースに記憶されるカラオケデータに関しては、前記サーバ装置２０に備えられたカラオケデータベース１２６（図５を参照）の説明において後述する。
【００３１】
図４は、前記電子早見本装置２２の構成を説明するブロック線図である。この図４に示すように、前記電子早見本装置２２は、所定の画像（映像）を表示させると共に、利用者の接触に応じて入力を行うためのタッチパネルディスプレイ８４を備えている。また、前記カラオケ装置１６との間でデータの送受信や同期を実行したり、前記電子早見本装置２２に内蔵されたバッテリを充電する等の動作を行うスタンド型の接続架台（ドッキングテーブル）であるクレイドル８２を備えている。前記電子早見本装置２２は、そのクレイドル８２に取り付けられた状態又はそのクレイドル８２から取り外された状態で用いられ、取り付けられた状態においては、そのクレイドル８２及びＬＡＮ２４を介して前記カラオケ装置１６に有線接続されるようになっている。また、前記クレイドル８２から取り外された状態においては、前記アクセスポイント２６及びＬＡＮ２４を介して前記カラオケ装置１６に無線接続されるようになっている。
【００３２】
図４に示すように、前記電子早見本装置２２は、前記タッチパネルディスプレイ８４に所定の映像を表示させる表示装置８６と、その表示装置８６による表示を制御する表示制御部８８と、利用者の指や図示しない備え付けのペン等によるタッチパネルディスプレイ８４への接触により入力を行うタッチパネル９０と、そのタッチパネル９０による入力を制御する入力制御部９２と、中央演算処理装置であるＣＰＵ９４と、読出専用メモリであるＲＯＭ９６と、随時書込読出メモリであるＲＡＭ９８と、フラッシュＲＯＭ等の記憶部１００と、インターフェイス１０２と、リモコン送信部１０４と、無線ＬＡＮ通信部１０６と、前記クレイドル８２と電気的な接続を可能とするためのコネクタ１０８ａとを、備えて構成されている。前記クレイドル８２には、斯かる電子早見本装置２２と電気的な接続を可能とするためのコネクタ１０８ｂが設けられており、前記電子早見本装置２２は、前記クレイドル８２に載置されて前記コネクタ１０８ａ及び１０８ｂが相互に接触させられることで、前記インターフェイス１０２を介して前記クレイドル８２乃至はＬＡＮ２４に接続されるようになっている。
【００３３】
前記ＣＰＵ９４は、前記ＲＡＭ９８の一時記憶機能を利用しつつ前記ＲＯＭ９６に記憶された情報に基づいて情報処理を実行する所謂マイクロコンピュータであり、前記表示制御部８８を介して前記タッチパネルディスプレイ８４（表示装置８６）に所定の映像を表示させたり、その映像に基づく前記タッチパネルディスプレイ８４（タッチパネル９０）への接触により前記入力制御部９２を介して入力される入力信号を処理したり、その入力信号に基づき前記無線ＬＡＮ通信部１０６等を介して前記カラオケ装置１６へ選曲入力をはじめとする入力送信を行ったり、マスターコマンダである前記カラオケ装置１６ａを介して前記サーバ装置２０との間で情報の通信を行う等といった基本的な制御に加えて、後述するログイン認証制御等の各種制御を実行する。また、前記記憶部１００には、好適には、前記カラオケ装置１６のカラオケデータベースに記憶された多数のカラオケ情報それぞれに対応して曲名、アーティスト名、属性情報、歌詞の歌い出し部分等の選曲案内情報、及び備考等が選曲番号毎に記憶されている。
【００３４】
図５は、前記サーバ装置２０の構成を説明する図である。この図５に示すように、前記サーバ装置２０は、中央演算処理装置であるＣＰＵ１１０、読出専用メモリであるＲＯＭ１１２、及び随時書込読出メモリであるＲＡＭ１１４を備え、前記ＣＰＵ１１０によりＲＡＭ１１４の一時記憶機能を利用しつつＲＯＭ１１２に予め記憶されたプログラムに従って信号処理を行う所謂ノイマン式コンピュータである。また、ＴＦＴやＰＤＰ等の映像表示装置１１６と、その映像表示装置１１６による映像の表示を制御するためのビデオボード（グラフィックスチップ）１１８と、キーボード等の入力装置１２０と、その入力装置１２０による入力を処理するためのインターフェイス１２２と、前記ＣＰＵ１１０等を前記通信回線１８に接続するためのモデム１２４とを、備えて構成されている。また、前記サーバ装置３６は、例えば、前記ＣＰＵ１１０、ＲＯＭ１１２、ＲＡＭ１１４、及びモデム１２４等に関して図５に示すサーバ装置２０と等価な構成を有する所謂ノイマン式コンピュータであり、本実施例においてはその詳細な説明を省略する。
【００３５】
図５に示すように、前記サーバ装置２０は、カラオケデータベース１２６及びＳＮＳデータベース１２８をはじめとする各種データベースを備えている。このカラオケデータベース１２６は、前記通信カラオケシステム１０における前記カラオケ装置１６等に配信するための多数のカラオケデータ（楽曲データ）を記憶するものであり、新しく作成されたカラオケデータはこのカラオケデータベース１２６に蓄積される。そして、所定の配信制御プログラムにより定期的に、或いは前記カラオケ装置１６等からの配信要求に応じて、随時新たなカラオケデータが前記サーバ装置２０のカラオケデータベース１２６から前記通信回線１８を介して配信され、前記カラオケ装置１６等に配信される。
【００３６】
前記カラオケデータベース１２６は、前記カラオケ装置１６により出力可能な演奏曲にそれぞれ対応する多数（例えば、数万曲分）のカラオケデータ（楽曲データ）を記憶する。このカラオケデータは、前記シンセサイザ４８により所定の楽器の演奏音を生成するための演奏情報と、歌詞文字映像（歌詞テロップ）を生成するための歌詞情報と、その歌詞情報に基づいて生成された歌詞文字映像を演奏の進行に合わせて順次色替わりさせてゆくための歌詞色替情報とを、含むものであり、コンテンツＩＤである各演奏曲に固有の選曲番号により識別される。また、前記カラオケデータには、その演奏曲の曲名、アーティスト名（歌手名）、発表年月日、曲の長さ（演奏時間）、ジャンル、曲調、曲タイプ（後述する図８を参照）、アーティスト（歌手）の出身地、コンサート情報（近い将来その演奏曲のコンサートが行われる開催地等に係る情報）、タイアップ情報（例えばその演奏曲が主題歌として用いられたドラマの放映された曜日、時間帯、ＣＭソング）等の情報が関連づけられて記憶されている。
【００３７】
図８は、前記カラオケデータベース１２６の記憶内容を例示する図である。この図８に示すように、前記カラオケデータベース１２６に記憶される多数のカラオケデータは、それぞれ複数種類の曲タイプの何れかに該当するものである。すなわち、図８においては、前記カラオケデータベース１２６に記憶される多数のカラオケデータが、「スタンダード」、「スゴ音」、「ガイドボーカル」、及び「生演奏」の４つの曲タイプの何れか１つにそれぞれ該当する例を示している。ここで、各曲タイプはそれぞれ異なる仕様に対応するものであり、例えば、「スタンダード」は最も一般的な仕様、「スゴ音」は「スタンダード」に比べて楽器の数が多かったり各楽器に対応する演奏音が豪華（「スタンダード」に比べてゴージャスに聞こえるもの）な仕様、「ガイドボーカル」は演奏に併行して例えばオリジナルアーティストによるガイドボーカル（例えば、コーラス）が出力される仕様、「生演奏」はＭＩＤＩのように電子音による演奏音ではなく実際の楽器の演奏音を録音したもの（生音）が出力される仕様にそれぞれ相当するものである。なお、例えば「スタンダード」及び「スゴ音」がＭＩＤＩ形式のファイルに、「ガイドボーカル」及び「生演奏」がＷＡＶ形式のファイルにそれぞれ対応するというように、曲タイプは必ずしもファイル形式に相当するものではなく、曲タイプが異なるものではファイル形式が同じものあり、異なるものもある。
【００３８】
また、図８に示すように、前記カラオケデータベース１２６に記憶される多数のカラオケデータは、同一の演奏曲に対応し且つそれぞれ曲タイプの異なる複数のカラオケデータを含むものである。すなわち、図８に示す例では、曲名が「忘れられた時計」、アーティスト名が「十和田翔子」である演奏曲に対応して、曲タイプ「スタンダード」に該当する選曲番号「10239987」のカラオケデータ、曲タイプ「スゴ音」に該当する選曲番号「10239988」のカラオケデータ、曲タイプ「ガイドボーカル」に該当する選曲番号「11672345」のカラオケデータ、及び曲タイプ「生演奏」に該当する選曲番号「12000984」のカラオケデータが記憶されている。すなわち、前記カラオケデータベース１２６に記憶される多数のカラオケデータは、同一の演奏曲に対応し且つ曲タイプ毎に選曲番号の異なる複数のカラオケデータを含むものである。また、前記カラオケデータベース１２６において、同一の演奏曲に対応する複数のカラオケデータは、同一のグループＩＤにより括られて（分類されて）おり、前記曲名が「忘れられた時計」、アーティスト名が「十和田翔子」である演奏曲に対応する４つのカラオケデータは、グループＩＤ「000587」により括られている。なお、必ずしも前記カラオケデータベース１２６に記憶されたすべての演奏曲に関して、前述した４つの曲タイプが用意されるものでなくともよく、例えば所定の演奏曲に関しては曲タイプ「スタンダード」に該当するカラオケデータのみが記憶される等、各演奏曲に関して個別に曲タイプのバリエーションが定められるものであってもよい。
【００３９】
図９は、前記通信カラオケシステム１０における、前記複数種類の曲タイプの優先順位について説明する図である。この図９に示すように、本実施例の通信カラオケシステム１０においては、前記複数種類の曲タイプに関して予め優先順位が定められたものである。例えば、図９では、前述した４つの曲タイプ「スタンダード」、「スゴ音」、「ガイドボーカル」、及び「生演奏」に関する優先順位の初期設定（デフォルト設定）の一例を示しており、曲タイプ「生演奏」が優先順位が最も高い最上位タイプ、曲タイプ「ガイドボーカル」が優先順位が２位であるタイプ、曲タイプ「スゴ音」が優先順位が３位であるタイプ、曲タイプ「スタンダード」が優先順位が最も低い最下位タイプと定められている。この優先順位とは、後述する演奏曲の照会結果表示制御及び選曲入力制御等の基準とされるものであり、初期設定された優先順位が変化させられることなく固定的に用いられるものであってもよいが、所定の条件で変化させられるものであってもよい。例えば、後述するように、前記複数種類の曲タイプの優先順位が、前記通信カラオケシステム１０の各利用者（ＳＮＳデータベース１２８に登録された各利用者）毎に予め定められたものであり、且つ、各利用者に関する情報に応じて変化させられるものであってもよい。
【００４０】
前記カラオケデータベース１２６に記憶された多数のカラオケデータは、該当する曲タイプ毎にそのカラオケデータを出力可能とする前記カラオケ装置１６の機種の範囲が異なるものである。例えば、図９に示す例では、「機種Ａ」のカラオケ装置１６においては、前述した４つの曲タイプ全てに該当するカラオケデータを出力すなわちカラオケ演奏のために再生することができる。一方、「機種Ｂ」のカラオケ装置１６においては、曲タイプ「ガイドボーカル」、「スゴ音」、及び「スタンダード」に該当するカラオケデータは出力可能であるが、曲タイプ「生演奏」に該当するカラオケデータは出力できない。また、「機種Ｃ」のカラオケ装置１６においては、曲タイプ「スゴ音」及び「スタンダード」に該当するカラオケデータは出力可能であるが、曲タイプ「ガイドボーカル」及び「生演奏」に該当するカラオケデータは出力できない。換言すれば、曲タイプ「スタンダード」及び「スゴ音」は、そのカラオケデータを出力可能とする前記カラオケ装置１６の機種の範囲を「機種Ａ」、「機種Ｂ」、及び「機種Ｃ」（図９に示す例では全機種）とするものであり、曲タイプ「ガイドボーカル」は、そのカラオケデータを出力可能とする前記カラオケ装置１６の機種の範囲を「機種Ａ」及び「機種Ｂ」（例えば、新型の２機種）とするものであり、曲タイプ「生演奏」は、そのカラオケデータを出力可能とする前記カラオケ装置１６の機種の範囲を「機種Ａ」のみ（例えば、最新機種のみ）とするものである。
【００４１】
また、好適には、前記複数種類の曲タイプの優先順位は、前記カラオケ装置１６の各機種毎に予め定められたものである。例えば、「機種Ａ」においては、優先順位が上位の側から「生演奏」、「ガイドボーカル」、「スゴ音」、「スタンダード」の順、「機種Ｂ」においては、優先順位が上位の側から「ガイドボーカル」、「スゴ音」、「スタンダード」、「生演奏」の順、「機種Ｃ」においては、優先順位が上位の側から「スゴ音」、「スタンダード」、「生演奏」、「ガイドボーカル」の順というように、各機種毎にそれぞれ個別の優先順位が予め定められて登録されたものである。すなわち、前記通信カラオケシステム１０において、好適には、前記カラオケ装置１６の各機種に対応して、その機種で出力不能な曲タイプの優先順位が、出力可能な曲タイプの優先順位よりも下位となるように設定されたものである。
【００４２】
前記ＳＮＳデータベース１２８は、前記通信カラオケシステム１０の利用者を対象とするソーシャルネットワークサービス（Social Network Service）に係る各種情報を記憶する。このソーシャルネットワークサービスとは、例えば、予め会員登録された会員相互間に限定して情報の閲覧等のサービスを提供する会員制のコミュニティ型のウェブサイトをいう。なお、以下の説明において、ソーシャルネットワークサービスをＳＮＳと略称する。上記ＳＮＳデータベース１２８は、前記通信カラオケシステム１０を利用する各利用者毎の、前記カラオケ装置１６を用いたカラオケ演奏に関する情報を、その利用者の識別情報（ユーザＩＤ）と対応付けて記憶する記憶装置である。このＳＮＳデータベース１２８には、ユーザＩＤにより識別される各利用者毎に、例えばその利用者の名前（ニックネーム）、生年月日、実際の年齢、性別、メールアドレス、利用者の住所又は居所に対応する地域、血液型、星座、ＳＮＳへのログイン認証に用いられるパスワード、パスワードを忘れたときのための質問及び解答、アバタ（ネット上において利用者を象徴する人型映像）に関する情報、及び利用者の歌年齢等の情報がその利用者のユーザＩＤと対応付けられて記憶される。この歌年齢とは、利用者の演奏曲の好みの傾向がどの程度の年代（何歳）に相当するものかを示す仮想的な年齢情報であり、対象となる利用者が前記カラオケ装置１６において過去に選曲（演奏）した演奏曲に基づいて判断される値である。
【００４３】
また、前記ＳＮＳデータベース１２８には、各利用者の前記カラオケ装置１６を用いたカラオケ演奏に関する情報として、例えばその利用者が過去に利用したカラオケ装置１６に対応する店舗１２（そのカラオケ装置１６が設置された店舗１２）に関する情報である来店履歴、その利用者が前記カラオケ装置１６によるカラオケ演奏において十八番曲或いはお気に入りとして登録した演奏曲（簡易な操作により選曲入力を行い得るように設定された演奏曲）に関する情報、その利用者が過去に前記カラオケ装置１６によるカラオケ演奏において選曲した選曲履歴（カラオケ装置１６において過去に選曲された演奏曲の履歴）に関する情報、その利用者が前記カラオケ装置１６によるカラオケ演奏において過去に行った演奏評価の評価結果に関する情報、及びその利用者がフレンドとして登録した他の利用者に関する情報等が各利用者毎にその利用者のユーザＩＤと対応付けられて記憶される。ここで、前記来店履歴は、各利用者が過去に利用（来店）した店舗１２の店舗ＩＤを記憶するものであってもよいし、各利用者が過去に利用（使用）したカラオケ装置１６の装置ＩＤを記憶するものであってもよい。
【００４４】
図６は、前記携帯電話機３０の構成を例示する図である。前述のように、本実施例の通信カラオケシステム１０は、前記サーバ装置２０等との間で情報の通信を行う携帯型情報通信端末として前記携帯電話機３０及びタブレット３２等を備えたものであるが、以下の説明においては、前記携帯電話機３０を携帯型情報通信端末として用いる実施例について説明し、余の携帯型情報通信端末については説明を省略する。すなわち、以下に説明する実施例における各種制御は、前記タブレット３２をはじめとする前記携帯電話機３０以外の携帯型情報通信端末においても好適に実行されるものである。
【００４５】
図６に示すように、前記携帯電話機３０は、中央演算処理装置であるＣＰＵ１３０と、読出専用メモリであるＲＯＭ１３２と、随時書込読出メモリであるＲＡＭ１３４と、フラッシュＲＯＭ等の記憶部１３６と、後述するタッチパネルディスプレイ１５４の補助的な操作を行うための操作部１３８と、アンテナ１４０と、送受信部１４２と、モデム部１４４と、音声コーディック部１４６と、アナログフロントエンド１４８と、スピーカ１５０と、マイクロフォン１５２と、タッチパネルディスプレイ１５４とを、備えて構成されている。
【００４６】
上記ＣＰＵ１３０は、随時書込読出メモリであるＲＡＭ１３４の一時記憶機能を利用しつつ読出専用メモリであるＲＯＭ１３２に予め記憶されたプログラムに従って信号処理を行う所謂マイクロコンピュータであり、前記タッチパネルディスプレイ１５４に表示された文字入力ボタンに対する入力操作に従って文字入力が実行されるように制御したり、斯かる入力操作により入力された電話番号に従って通信或いは通話チャンネルを成立させると共に相互の通信或いは通話が可能となるように制御したり、前記入力操作により入力されたＵＲＬに従って所定のウェブサイトにアクセスしたり、メールの作成及び送受信を制御する等の基本的な制御を実行する。例えば、前記携帯電話機３０の通話状態においては、上記アンテナ１４０を介して送受信部１４２に受けた通話信号等がモデム部１４４を介して音声コーディック部１４６においてデジタルコード信号から音声信号に変換され、アナログフロントエンド１４８によりスピーカ１５０が駆動されて音声が出力される。同時に、上記マイクロフォン１５２により音声から変換された音声信号が上記アナログフロントエンド１４８を介して上記音声コーディック部１４６に送られてそこでディジタル信号に変換され、上記モデム部１４４、送受信部１４２、及びアンテナ１４０を介して送信される。
【００４７】
前記携帯電話機３０は、前記タッチパネルディスプレイ１５４に所定の映像を表示させる表示装置１５６と、その表示装置１５６による表示を制御する表示制御部１５８と、利用者の指や図示しない備え付けのペン等によるタッチパネルディスプレイ１５４への接触により入力を行うタッチパネル１６０と、そのタッチパネル１６０による入力を制御する入力制御部１６２とを、備えている。また、前記送受信部１４２等を介して前記通信回線１８に接続され、例えば公衆電話回線、ＡＤＳＬ回線、或いは光ファイバ回線等から構成されるＷＷＷ等のインターネットに接続された前記サーバ装置２０をはじめとする各種通信機器との間で情報の通信が可能とされる。また、前記通信回線１８を介しての通信状態において、前記ＣＰＵ１３０は、前記タッチパネルディスプレイ１５４等により入力された信号を通信先へ送信すると同時に、通信先から受信された信号をそのタッチパネルディスプレイ１５４に表示させる制御を行う。すなわち、前記携帯電話機３０は、前記タッチパネルディスプレイ１５４を有すると共に、そのタッチパネルディスプレイ１５４を介しての操作に応じたインターネットへのアクセス機能をはじめとする各種機能を有する所謂スマートフォンである。
【００４８】
前記携帯電話機３０は、例えば前記記憶部１３８等の記憶装置に、それぞれ所定の演奏曲に対応する、前記カラオケデータとは態様の異なる複数の音楽データを記憶する音楽データベース１６４を備えている。この音楽データベース１６４に記憶される音楽データは、例えば、前記携帯電話機３０に備えられた音楽再生手段としてのアプリケーションソフトウェア或いは内蔵の音楽プレイヤ等により再生されるものであり、例えば前記カラオケデータベース１２６に記憶される多数のカラオケデータにそれぞれ対応する各演奏曲のオリジナル楽曲（ＣＤ等の形式で市販される商品に収録されたものと等価なデータ）に相当する。前記音楽データは、具体的には、ＷＡＶ形式、ＭＰ３（MPEG audio layer 3）形式、ＡＡＣ（advanced audio coding）形式等の音楽ファイル（サウンドデータファイル）である。
【００４９】
図１０は、前記音楽データベース１６４の記憶内容を例示する図である。この図１０に示すように、前記音楽データベース１６４に記憶される音楽データは、それぞれ個別のコンテンツＩＤにより識別されるものであり、各音楽データに関して、例えば属性情報として曲名、歌手名（アーティスト名）、前記音楽再生手段によるその音楽データの再生回数、及びダウンロード（ファイル取得）年月日等の情報が記憶されるようになっている。前記音楽データベース１６４に記憶される音楽データは、好適には、前記カラオケデータベース１２６に記憶されるカラオケデータとはファイル形式が異なるものであるが、一部において同一のファイル形式のものが含まれていてもよい。また、前記音楽データベース１６４に記憶される各音楽データに関して、好適には、配信開始年月日、お気に入り登録の有無、対応するアーティストに関する各種情報等が例えば属性情報として関連付けられて記憶される。
【００５０】
図７は、前記サーバ装置２０のＣＰＵ１１０、前記電子早見本装置２２のＣＰＵ９４、前記携帯電話機３０のＣＰＵ１３０、及び前記サーバ装置３６のＣＰＵ１１０に備えられた制御機能の要部を説明する機能ブロック線図である。この図７に示すように、好適には、ＳＮＳ管理制御手段１７０及びカラオケデータ検索制御手段１８４は、前記サーバ装置２０のＣＰＵ１１０に機能的に備えられたものであり、対応付け制御手段１７２及びログイン認証制御手段１７４は、前記電子早見本装置２２のＣＰＵ９４に機能的に備えられたものであり、対応付け制御手段１７６、音楽データ抽出制御手段１７８、音楽データ画像表示制御手段１８０、照会制御手段１８２、照会結果表示制御手段１８６、及び選曲入力制御手段１８８は、前記携帯電話機３０のＣＰＵ１３０に機能的に備えられたものであり、選曲入力制御手段１９０は、前記サーバ装置３６のＣＰＵ１１０に機能的に備えられたものである。
【００５１】
前記ＳＮＳ管理制御手段１７０は、前記通信カラオケシステム１０におけるＳＮＳに関する情報管理制御を行う。例えば、そのＳＮＳに関する情報登録制御を行う。具体的には、前記電子早見本装置２２或いは携帯電話機３０等の外部装置による入力操作に応じて、前記ＳＮＳデータベース１２８に新規ユーザ（利用者）の登録を行ったり、そのＳＮＳデータベース１２８に記憶された登録内容を変更（更新）したり、そのＳＮＳデータベース１２８に記憶された複数の利用者をフレンドとして相互に対応付けて登録したり、そのフレンドに係る情報に基づいて各利用者の前記カラオケ装置１６を用いたカラオケ演奏に関する情報の閲覧レベルを設定したりというように、前記通信カラオケシステム１０におけるＳＮＳの統括的な管理制御を行う。
【００５２】
前記対応付け制御手段１７２は、前記電子早見本装置２２の利用に際して、その電子早見本装置２２を所定のカラオケ装置１６に対応付ける（くくりつける）対応付け処理を行う。すなわち、前記カラオケ装置１６の入力装置として前記電子早見本装置２２を用いる上で、その電子早見本装置２２による入力（例えば選曲入力）の対象となるカラオケ装置１６を設定する処理を行う。具体的には、先ず、所定の接続通知を前記リモコン送信部１０４から赤外線により前記カラオケ装置１６へ送信する。前記電子早見本装置２２は、それぞれ個別のシリアル番号を有しており、例えば、そのシリアル番号（例えば、下４桁）及び所定の接続コードを含む信号を上記接続通知として前記カラオケ装置１６へ送信する。このように、前記接続通知をリモコン信号（赤外線）により送信することで、壁等を隔てて設置された対応付を所望されないカラオケ装置１６にその接続通知が受け付けられるのを防止できる。そして、斯かる処理により前記カラオケ装置１６と電子早見本装置２２との対応付けが行われた後は、その電子早見本装置２２による前記無線ＬＡＮ通信部１０６等を介した無線ＬＡＮ通信の通信対象が対応付けられたカラオケ装置１６とされ、以降、前記電子早見本装置２２による選曲入力制御等における前記カラオケ装置１０との間の通信は、前記無線ＬＡＮ通信部１０６等を介した無線ＬＡＮ通信により行われる。
【００５３】
前記ログイン認証制御手段１７４は、前記タッチパネルディスプレイ８４により入力される識別情報（ユーザＩＤ）に応じて前記通信カラオケシステム１０におけるＳＮＳの利用者を認証し、その認証が正常に行われた場合にはその識別情報をもってその利用者のＳＮＳへのログインを許可する。具体的には、前記タッチパネルディスプレイ８４により識別情報であるユーザＩＤ及びパスワードが入力された場合、そのユーザＩＤに対応付けられて前記ＳＮＳデータベース１２８に記憶されたパスワードが入力されたものと一致するか否かを前記サーバ装置２０に照会し、一致する場合には正常な認証を行う一方、一致しない場合にはエラーとする。このログイン認証制御手段１７４により正常な認証が行われた場合、好適には、認証の行われた前記電子早見本装置２２のシリアル番号、及びその電子早見本装置２２と対応付けられたカラオケ装置１６の装置ＩＤ等の情報が各利用者毎に前記ＳＮＳデータベース１２８に記憶される。なお、前記ログイン認証制御手段１７４は、前記タッチパネルディスプレイ８４によりユーザＩＤ及びパスワードを前記サーバ装置２０へ送信するものであってもよく、実質的な認証はそのサーバ装置２０側で行うものであっても構わない。
【００５４】
前記ＳＮＳ管理制御手段１７０は、前記ＳＮＳデータベース１２８に記憶されたカラオケ演奏に関する情報のうち、前記ログイン認証制御手段１７４により認証された利用者に対応するカラオケ演奏に関する情報を前記タッチパネルディスプレイ８４に閲覧可能に表示させる。好適には、斯かる情報を、前記記憶部１００における演奏曲データベースに記憶された情報に基づいて前記タッチパネルディスプレイ８４にタッチ入力可能に表示させる。具体的には、前記ログイン認証制御手段１７４により認証された利用者に対応する十八番曲に含まれる演奏曲を前記タッチパネルディスプレイ８４に選曲入力可能に表示させる。また、その利用者に対応する選曲履歴に含まれる演奏曲等を前記タッチパネルディスプレイ８４に選曲入力可能に表示させる。
【００５５】
前記対応付け制御手段１７６は、前記通信カラオケシステム１０における携帯型情報通信端末としての前記携帯電話機３０の利用に際して、その携帯電話機３０を対象となるカラオケ装置１６に対応付ける（くくりつける）対応付け処理を行う。すなわち、前記カラオケ装置１６の入力装置として前記携帯電話機３０を用いる上で、その携帯電話機３０による入力（例えば選曲入力）の対象となるカラオケ装置１６を設定する処理を行う。好適には、前記ログイン認証制御手段１７４による認証結果を利用して斯かる対応付け処理を行う。すなわち、前記ログイン認証制御手段１７４により正常な認証が行われた場合、認証の行われた前記電子早見本装置２２のシリアル番号、及びその電子早見本装置２２と対応付けられたカラオケ装置１６の装置ＩＤ等の情報が各利用者毎に前記ＳＮＳデータベース１２８に記憶される。従って、前記対応付け制御手段１７６は、好適には、前記タッチパネルディスプレイ１５４等を介して対応付けの対象となる携帯電話機３０のオーナーである利用者のユーザＩＤ及びパスワードを入力させ、そのユーザＩＤ及びパスワードを前記サーバ装置２０へ送信する。斯かる情報を受信した前記サーバ装置２０においては、前記ＳＮＳデータベース１２８が参照され、受信されたユーザＩＤに対応する利用者が用いているカラオケ装置１６の装置ＩＤが取得される。そして、斯かるユーザＩＤに対応付けられて前記ＳＮＳデータベース１２８に記憶されたパスワードが、前記携帯電話機３０から受信されたパスワードと一致した場合、その携帯電話機３０と取得された装置ＩＤに対応するカラオケ装置１６とを対応付ける処理が行われ、その対応付け情報が前記サーバ装置３６へ送信される。すなわち、前記携帯電話機３０とカラオケ装置１６との対応付けにおける実質的な処理は前記サーバ装置２０側で行われるものであっても構わない。また、前記対応付け制御手段１７６による対応付け処理は、前記携帯電話機３０による選曲入力機能の使用開始時に実行されるものであってもよいが、その携帯電話機３０から所定の演奏曲の選曲入力が前記カラオケ装置１６に対して行われた時点で実行されるものであってもよい。
【００５６】
前記音楽データ抽出制御手段１７８は、前記音楽データベース１６４に記憶された複数の音楽データのうち一部を抽出する。好適には、前記タッチパネルディスプレイ１５４等を介して入力される属性情報等に関する条件に応じて、その条件に適合する音楽データを前記音楽データベース１６４に記憶された複数の音楽データから抽出する。例えば、「再生回数」が条件として入力された場合、前記音楽データベース１６４に記憶された複数の音楽データのうち、再生回数が多いものから規定数の音楽データを抽出する。また、「ダウンロード年月日」が条件として入力された場合、前記音楽データベース１６４に記憶された複数の音楽データのうち、ダウンロード年月日が新しいものから規定数の音楽データを抽出する。また、「お気に入り曲」が条件として入力された場合、前記音楽データベース１６４に記憶された複数の音楽データのうち、予めお気に入り登録された音楽データを抽出する。
【００５７】
図１２は、前記携帯電話機３０のタッチパネルディスプレイ１５４に表示されるカラオケ選曲入力機能（カラオケ装置１６に対する選曲入力を行うためのアプリケーションソフトウェア）に係るトップ画面２００を例示する図である。以下に説明する本実施例のカラオケ選曲入力機能は、前記音楽データベース１６４に記憶された音楽データに対応するカラオケデータの有無を前記サーバ装置２０に問い合わせ、その結果に応じてカラオケ演奏可能とされた音楽データに対応する演奏曲の選曲入力を前記カラオケ装置１６に対して行う機能である。図１２に示すように、斯かるトップ画面２００には、ライブ映像ボタン２０２、本人映像ボタン２０４、新譜ボタン２０６、再生回数上位曲ボタン２０８、最新ダウンロード曲ボタン２１０、マイうたボタン２１２、ソングリストボタン２１４、曲検索ボタン２１６、お薦め曲ボタン２１８、店舗情報ボタン２２０、及びその他ボタン２２２が表示されている。前記トップ画面２００において、前記各ボタン（タッチパネル１６０における各ボタンに対応する相対位置）に対する利用者の指や備え付けのペン等による接触操作（以下、接触入力操作という）が行われると、以下に説明するように各ボタンに対応する入力延いてはその入力に応じた処理が実行される。なお、以下の説明に用いる図１２〜図１９等において、各画面で共通するボタン等については同一の符号を付して重複した説明を省略する。
【００５８】
前記トップ画面２００において、前記ライブ映像ボタン２０２に対する接触入力操作が行われた場合、例えば前記記憶部１３６に記憶された所定のアーティスト（例えば、前記音楽データの所定期間内におけるダウンロード数が上位であったアーティスト）のライブ映像情報が読み出され、前記表示制御部１５８等を介して前記タッチパネルディスプレイ１５４（表示装置１５６）にそのライブ映像情報に対応する映像が表示（再生）される。また、前記トップ画面２００において、前記本人映像ボタン２０４に対する接触入力操作が行われた場合、例えば前記記憶部１３６に記憶された本人（携帯電話機３０のオーナー）の映像情報が読み出され、前記表示制御部１５８等を介して前記タッチパネルディスプレイ１５４にその本人映像情報に対応する映像が表示（再生）される。また、前記トップ画面２００において、前記新譜ボタン２０６に対する接触入力操作が行われた場合、前記音楽データベース１６４に記憶された複数の音楽データのうち、配信開始時期が最近（例えば、現時点を遡ること所定期間内）の音楽データが抽出され、その抽出結果を示す画面が前記表示制御部１５８等を介して前記タッチパネルディスプレイ１５４に表示される。
【００５９】
また、前記トップ画面２００において、前記再生回数上位曲ボタン２０８に対する接触入力操作が行われた場合、前記音楽データベース１６４に記憶された複数の音楽データのうち、前記携帯電話機３０に備えられた音楽再生手段としてのアプリケーションソフトウェア或いは内蔵の音楽プレイヤ等により再生された回数が上位（例えば、最上位から所定位まで）の音楽データが抽出され、その抽出結果を示す画面が前記表示制御部１５８等を介して前記タッチパネルディスプレイ１５４に表示される。斯かる制御については、図１３等を用いて後述する。また、前記トップ画面２００において、前記最新ダウンロード曲ボタン２１０に対する接触入力操作が行われた場合、前記音楽データベース１６４に記憶された複数の音楽データのうち、ダウンロードされた時期が最近（例えば、現時点を遡ること所定期間内）の音楽データが抽出され、その抽出結果を示す画面が前記表示制御部１５８等を介して前記タッチパネルディスプレイ１５４に表示される。また、前記トップ画面２００において、前記マイうたボタン２１２に対する接触入力操作が行われた場合、前記音楽データベース１６４に記憶された複数の音楽データのうち、前記携帯電話機３０に備えられた音楽再生手段としてのアプリケーションソフトウェア或いは内蔵の音楽プレイヤ等において予めお気に入り曲として登録された音楽データが抽出され、その抽出結果を示す画面が前記表示制御部１５８等を介して前記タッチパネルディスプレイ１５４に表示される。
【００６０】
また、前記トップ画面２００において、前記ソングリストボタン２１４に対する接触入力操作が行われた場合、図１２に示すようなカラオケ選曲入力機能（カラオケ装置１６に対する選曲入力を行うためのアプリケーションソフトウェア）に係るトップ画面２００が前記タッチパネルディスプレイ１５４に表示（表示が更新）される。また、前記トップ画面２００において、前記曲検索ボタン２１６に対する接触入力操作が行われた場合、前記音楽データベース１６４に記憶された複数の音楽データのうち、所定の条件に合致する音楽データを検索するための図示しない曲検索画面が前記タッチパネルディスプレイ１５４に表示される。また、前記トップ画面２００において、前記お薦め曲ボタン２１８に対する接触入力操作が行われた場合、前記音楽データベース１６４に記憶された複数の音楽データのうち、例えば前記通信カラオケシステム１０のサービス提供会社によって予めお薦め曲として設定された音楽データが抽出され、その抽出結果を示す画面が前記表示制御部１５８等を介して前記タッチパネルディスプレイ１５４に表示される。また、前記トップ画面２００において、前記店舗情報ボタン２２０に対する接触入力操作が行われた場合、現時点で前記携帯電話機３０のオーナーである利用者がログインしているカラオケ装置１６の設置された店舗（その利用者が入店している店舗）に関する各種情報が前記タッチパネルディスプレイ１５４に表示される。また、前記トップ画面２００において、前記その他ボタン２２２に対する接触入力操作が行われた場合、前記カラオケ選曲入力機能に関して以上に説明した処理以外の操作を行うための図示しないその他の操作画面が前記タッチパネルディスプレイ１５４に表示される。
【００６１】
図７に示す前記音楽データ画像表示制御手段１８０は、前記音楽データ抽出制御手段１７８により抽出された複数の音楽データを示す音楽データ画像を前記タッチパネルディスプレイ１５４に表示させる。例えば、前記音楽データ抽出制御手段１７８により抽出された複数の音楽データを、前記タッチパネルディスプレイ１５４（タッチパネル１６０）を介しての接触入力操作により選択可能（選択入力可能）に、前記表示制御部１５８を介してそのタッチパネルディスプレイ１５４（表示装置１５６）に表示させる。図１３は、図１２に示すトップ画面２００において、前記再生回数上位曲ボタン２０８に対する接触入力操作が行われた場合において、前記タッチパネルディスプレイ１５４に表示される再生回数上位曲画面２２４を例示する図である。前記トップ画面２００において、前記再生回数上位曲ボタン２０８に対する接触入力操作が行われた場合、前記音楽データベース１６４に記憶された複数の音楽データのうち、例えば前記音楽再生手段により再生された回数が上位１００位までの曲が抽出され、その抽出結果に対応する図１３に示すような再生回数上位曲画面２２４が前記タッチパネルディスプレイ１５４に表示される。図１３に示すように、斯かる再生回数上位曲画面２２４においては、抽出された複数（図１３においては６曲）の音楽データをそれぞれ示す曲ボタン２２６ａ〜２２６ｆ（以下、特に区別しない場合には単に曲ボタン２２６という）が、再生回数が上位であるものから順に前記タッチパネルディスプレイ１５４に表示されている。すなわち、図１３に示す再生回数上位曲画面２２４は、前記音楽データ抽出制御手段１７８により抽出された複数の音楽データを示す音楽データ画像の一例に相当する。また、図１３に示す例では、直前の操作が行われる前の画面（例えば、トップ画面２００）に戻るための戻るボタン２２８が、前記再生回数上位曲画面２２４の一部に表示されている。
【００６２】
前記照会制御手段１８２は、前記音楽データ画像表示制御手段１８０により表示される前記音楽データ画像に示される前記複数の音楽データに関して、前記カラオケ装置１６により各音楽データに対応する演奏曲が出力可能か否かを一括して前記サーバ装置２０に照会する。換言すれば、前記音楽データ画像表示制御手段１８０により表示される前記音楽データ画像に示される前記複数の音楽データに関して、各音楽データに対応するカラオケデータ（同一の演奏曲に対応するカラオケデータ）が存在するか否かを、後述するカラオケデータ検索制御手段１８４により判定させるための可否判定要求を、前記通信回線１８を介して前記サーバ装置２０に対して送信する。前記照会制御手段１８２は、照会対象となる前記複数の音楽データに関して、少なくとも各音楽データの曲名及びアーティスト名を照会要求と共に前記サーバ装置２０へ送信する。
【００６３】
前記照会制御手段１８２は、好適には、前記音楽データ画像表示制御手段１８０により前記音楽データ画像が前記タッチパネルディスプレイ１５４に表示されるのと同期してその音楽データ画像に示される前記複数の音楽データに関する前記照会を行う。すなわち、前記音楽データ画像表示制御手段１８０による前記音楽データ画像の表示と相前後して、更なる入力操作を待たず自動的にその音楽データ画像に示される前記複数の音楽データに関する前記照会を行う。例えば、前記音楽データ抽出制御手段１７８により複数の音楽データが抽出された時点で、前記音楽データ画像表示制御手段１８０による表示制御の開始と相前後してそれら複数の音楽データに関して前記照会を行う。また、好適には、前記音楽データ画像表示制御手段１８０により表示される前記音楽データ画像が更新され、その音楽データ画像に示される音楽データが変更される毎に、その音楽データ画像に示される前記複数の音楽データに関する前記照会を行う。
【００６４】
前記音楽データ画像表示制御手段１８０は、好適には、前記タッチパネルディスプレイ１５４（タッチパネル１６０）に対する利用者の接触操作に応じて、前記音楽データ画像をそのタッチパネルディスプレイ１５４（表示装置１５６）の画面における所定方向にスクロール表示させる表示制御を行う。図１４は、前記タッチパネルディスプレイ１５４に表示された音楽データ画像がそのタッチパネルディスプレイ１５４に対する利用者の接触操作に応じてスクロール表示させられる様子を示す図である。この図１４に示す例では、図１３に示す再生回数上位曲画面２２４における複数の曲ボタン２２６に相当する画像（音楽データ画像）が、紙面向かって上下方向（曲ボタン２２６の並び方向）にスクロール表示させられる様子を示している。前記音楽データ画像表示制御手段１８０は、例えば、前記タッチパネル１６０に対する所謂ドラッグ操作すなわちそのタッチパネル１６０に対する接触を維持した状態でその接触部位を移動させる操作に応じて音楽データ画像をスクロール表示させる（スクロール表示を実行する）と共に、所謂ドロップ操作すなわち前記タッチパネル１６０に対する接触を解除する操作に応じてそのスクロール表示を停止させる。例えば、図１４に示す例では、紙面向かって下方から上方へのドラッグ操作に応じて再生回数が上位の音楽データに対応する曲ボタン２２６（図１３における曲ボタン２２６ａ、２２６ｂ）から画面外へ消えてゆくと共に、下位の音楽データに対応する曲ボタン２２６（図１３になかった曲ボタン２２６ｇ、２２６ｈ、２２６ｉ）が画面内に入ってくるスクロール表示が行われる。一方、紙面向かって上方から下方へのドラッグ操作に応じて再生回数が下位の音楽データに対応する曲ボタン２２６から画面外へ消えてゆくと共に、上位の音楽データに対応する曲ボタン２２６が画面内に入ってくるスクロール表示が行われる。
【００６５】
前記照会制御手段１８２は、好適には、前記音楽データ画像表示制御手段１８０による前記音楽データ画像のスクロール表示の停止に応じて、そのスクロール表示停止後の音楽データ画像に示される前記複数の音楽データに関する前記照会を行う。すなわち、前記音楽データ画像表示制御手段１８０による前記音楽データ画像のスクロール表示が停止させられるのと相前後して、更なる入力操作を待たず自動的にスクロール停止後の音楽データ画像に示される前記複数の音楽データに関する前記照会を行う。前記照会制御手段１８２は、好適には、前記音楽データ画像表示制御手段１８０による前記音楽データ画像のスクロール表示が停止してその音楽データ画像が定まった時点で、前記タッチパネルディスプレイ１５４（表示装置１５６）に表示された音楽データ画像に示される前記複数の音楽データに関する前記照会を行う。この音楽データ画像が定まった時点の判定は、実際にスクロール表示が停止した時点を判定するものであってもよいが、前記タッチパネル１６０に対するドラッグ操作の終了すなわち所謂ドロップ操作の時点を判定するものであってもよい。
【００６６】
図７に示す前記カラオケデータ検索制御手段１８４は、前記照会制御手段１８２からの照会要求（可否判定要求）を受信した場合、その照会要求に係る音楽データのリスト（照会対象となる複数の音楽データ）に関して、前記通信カラオケシステム１０におけるカラオケ装置１６により各音楽データに対応する演奏曲が出力可能か否かの判定を行う。例えば、要求に係る音楽データに対応するカラオケデータ（同一の演奏曲に対応するカラオケデータ）が前記カラオケデータベース１２６に記憶されているか否か検索する。この検索は、好適には、照会要求における各音楽データの曲名及びアーティスト名に基づいて行われ、曲名及びアーティスト名が何れも一致するカラオケデータが前記カラオケデータベース１２６に存在する場合、そのカラオケデータが要求に係る音楽データに対応するもの（同一の演奏曲に対応するカラオケデータ）として検索される。
【００６７】
前記カラオケデータ検索制御手段１８４は、前記照会（検索）が行われた場合、その照会結果を前記通信回線１８を介して要求元である前記携帯電話機３０へ返信する。例えば、対応するカラオケデータが存在すると判定された場合にはそのカラオケデータの選曲番号が、存在しないと判定された場合にはその旨が返信される。ここで、前述のように、照会に係る音楽データに関して、その音楽データ（同一の演奏曲）に対応し且つそれぞれ曲タイプの異なる複数のカラオケデータが前記カラオケデータベース１２６に存在する場合、前記カラオケデータ検索制御手段１８４は、好適には、それら複数のカラオケデータの選曲番号を要求元である前記携帯電話機３０へ返信するが、それら選曲番号と共に、各選曲番号に対応するカラオケデータの曲タイプを関連付けて返信するものであってもよい。或いは、照会に係る音楽データに対応するカラオケデータが複数存在する旨と、代表として何れかの曲タイプ（例えば、曲タイプ「スタンダード」）に該当するカラオケデータの選曲番号を返信するものであってもよい。
【００６８】
前記照会制御手段１８２は、前記サーバ装置２０に対して前記照会を行った（照会要求を送信した）後、その照会結果が前記サーバ装置２０から返信（受信）された場合には、その照会結果を前記記憶部１３６等に備えられた照会結果データベース１６６に記憶する。図１１は、斯かる照会結果データベース１６６の記憶内容を例示する図である。この図１１に示すように、前記照会結果データベース１６６には、例えば各音楽データ（曲名及びアーティスト名で定義される各演奏曲）に係る照会結果として、前記サーバ装置２０から対応するカラオケデータが存在する旨の返信を受けた場合には、曲名「忘れられた時計」及びアーティスト名「十和田翔子」で定義される音楽データに関して例示するように、そのカラオケデータの選曲番号及び曲タイプが記憶される。また、前記サーバ装置２０から対応するカラオケデータが存在しない旨の返信を受けた場合には、曲名「涙の東京物語」及びアーティスト名「渋沢まこと」で定義される音楽データに関して例示するように、対応するカラオケデータが存在しない旨が記憶される。すなわち、前記照会結果データベース１６６は、前記通信カラオケシステム１０におけるカラオケ装置１６に対する選曲入力の可否を記憶するものであり、好適には、対応する選曲番号が記憶された音楽データは選曲入力可能とされ、対応する選曲番号が記憶されていない音楽データは選曲入力不能とされる。
【００６９】
前記照会制御手段１８２は、好適には、前記音楽データ画像表示制御手段１８０により表示される前記音楽データ画像に示される音楽データであっても、前記照会結果データベース１６６に前記カラオケ装置１６に対する選曲入力の可否が記憶された音楽データに関しては前記照会を行わない。換言すれば、前記照会結果データベース１６６に前記カラオケ装置１６に対する選曲入力の可否が記憶されていない音楽データに関してのみ前記照会を実行する。すなわち、前記音楽データ画像表示制御手段１８０により表示される前記音楽データ画像に示される音楽データのうち、前記照会結果データベース１６６に前記カラオケ装置１６に対する選曲入力の可否が記憶された音楽データに関しては、前記サーバ装置２０に対する照会要求に係るリストから除外する。好適には、前記音楽データ画像表示制御手段１８０により表示される前記音楽データ画像に示される音楽データ全てに関して、前記照会結果データベース１６６に前記カラオケ装置１６に対する選曲入力の可否が記憶されている場合には、その音楽データ画像に関しては前記サーバ装置２０に対する照会要求を非実行とする。
【００７０】
また、前記照会制御手段１８２は、好適には、前記音楽データ画像表示制御手段１８０により表示される前記音楽データ画像に示される音楽データであって、前記照会結果データベース１６６に前記カラオケ装置１６に対する選曲入力不可であることが記憶された音楽データに関して、規定の条件が成立する場合にその音楽データに対応して再び前記照会を行う。すなわち、一度前記サーバ装置２０に対する前記照会が行われ、その照会結果が前記照会結果データベース１６６に記憶された音楽データであっても、規定の条件が成立する場合には、再び前記サーバ装置２０に対して前記照会を行う。この条件は、好適には、規定時間の経過であり、前記カラオケ装置１６に対する選曲入力不可であることが一度前記照会結果データベース１６６に記憶された音楽データであっても、例えば月の替わりを経ること（新たな月の始まり）を条件として、次に前記音楽データ画像表示制御手段１８０により表示される前記音楽データ画像に示されることとなった場合には、再び前記サーバ装置２０に対して前記照会を行う。また、好適には、前記通信カラオケシステム１０（カラオケデータベース１２６）における新譜の配信開始を前記条件とするものであってもよく、例えば、前記カラオケ装置１６に対する選曲入力不可であることが一度前記照会結果データベース１６６に記憶された音楽データであっても、例えば前記通信カラオケシステム１０において新たなカラオケデータが配信されたことを条件として、次に前記音楽データ画像表示制御手段１８０により表示される前記音楽データ画像に示されることとなった場合には、再び前記サーバ装置２０に対して前記照会を行う。
【００７１】
前記照会結果表示制御手段１８６は、前記音楽データ画像表示制御手段１８０により表示される前記音楽データ画像に示される前記複数の音楽データのうち、前記照会制御手段１８２による照会結果として前記カラオケ装置１６により出力可能とされた音楽データに対応する演奏曲を、前記カラオケ装置１６に対する選曲入力可能に前記タッチパネルディスプレイ１５４に表示させる。好適には、前記照会制御手段１８２により前記サーバ装置２０に対して前記照会が行われ、その照会結果が前記携帯電話機３０により受信された時点で、その照会結果として前記カラオケ装置１６により出力可能とされた音楽データに対応する演奏曲を、前記カラオケ装置１６に対する選曲入力可能に前記タッチパネルディスプレイ１５４に表示させる。また、前記音楽データ画像表示制御手段１８０により表示される前記音楽データ画像に示される前記複数の音楽データのうち、前記照会結果データベース１６６に照会結果が記憶された音楽データ（すなわち、サーバ装置２０に対する照会が行われなかった音楽データ）に関して、その照会結果データベース１６６に記憶された照会結果として前記カラオケ装置１６により出力可能とされた音楽データに対応する演奏曲を、前記カラオケ装置１６に対する選曲入力可能に前記タッチパネルディスプレイ１５４に表示させる。
【００７２】
図１５は、前記タッチパネルディスプレイ１５４に表示される選曲入力候補曲画面２３０を例示する図である。この図１５に示す選曲入力候補曲画面２３０では、図１３に示す再生回数上位曲画面２２４に対応して、その再生回数上位曲画面２２４に含まれる複数の音楽データのうち、前記カラオケ装置１６により出力可能とされた音楽データに対応する演奏曲を選曲入力候補曲として示している。すなわち、前記再生回数上位曲画面２２４の前面側レイヤに、前記カラオケ装置１６により出力可能とされた音楽データに対応する演奏曲を示す選曲入力候補曲リスト２３２が所謂ポップアップにより表示されている。図１５に示すように、前記選曲入力候補曲リスト２３２は、前記カラオケ装置１６により出力可能とされた音楽データに対応する複数（図１５では３曲）の選曲入力候補曲ボタン２３４ａ〜２３４ｃ（以下、特に区別しない場合には単に選曲入力候補曲ボタン２３４という）を含んでいる。前記選曲入力候補曲画面２３０（ポップアップ表示された選曲入力候補曲リスト２３２）において、何れかの選曲入力候補曲ボタン２３４に対する接触入力操作が行われた場合、その選曲入力候補曲ボタン２３４に対応する演奏曲を選曲入力するための後述する図１７に示すような画面が前記タッチパネルディスプレイ１５４に表示される。また、前記選曲入力候補曲リスト２３２において、キャンセルボタン２３６に対する接触入力操作が行われた場合、その選曲入力候補曲リスト２３２のポップアップ表示が終了させられて図１３に示すような再生回数上位曲画面２２４に復帰させられる。
【００７３】
前記再生回数上位曲画面２２４に含まれる複数の音楽データのうち、前記カラオケ装置１６により出力可能とされた音楽データがひとつも存在しない場合には、図１６に示すような選曲入力候補不在通知画面２３８が前記タッチパネルディスプレイ１５４に表示される。この選曲入力候補不在通知画面２３８においては、前記再生回数上位曲画面２２４の前面側レイヤに、その再生回数上位曲画面２２４に含まれる複数の音楽データのうち、前記カラオケ装置１６により出力可能とされた音楽データがひとつも存在しない旨を示す選曲入力候補不在通知欄２４０が所謂ポップアップにより表示されている。前記選曲入力候補不在通知画面２３８（ポップアップ表示された選曲入力候補不在通知欄２４０）において、リクエストボタン２４２に対する接触入力操作が行われた場合、前記再生回数上位曲画面２２４に含まれる複数の音楽データのうち少なくともひとつの音楽データに対応する入曲リクエスト（通信カラオケシステム１０においてカラオケ演奏可能とするためのリクエスト）を行うための図示しないリクエスト画面が前記タッチパネルディスプレイ１５４に表示される。また、前記選曲入力候補不在通知画面２３８において、閉じるボタン２４４に対する接触入力操作が行われた場合、前記選曲入力候補不在通知欄２４０のポップアップ表示が終了させられて図１３に示すような再生回数上位曲画面２２４に復帰させられる。
【００７４】
図１７は、前記カラオケ装置１６に対して選曲入力を行うための選曲入力画面２４６を例示する図である。例えば、図１５に示す前記選曲入力候補曲画面２３０において、所定の選曲入力候補曲ボタン２３４に対する接触入力操作が行われた場合、図１７に示すように、その選曲入力候補曲ボタン２３４に対応する演奏曲を選曲入力するための選曲入力画面２４６が前記タッチパネルディスプレイ１５４に表示される。この図１７に示す選曲入力画面２４６においては、対象となる演奏曲すなわち曲名「忘れられた時計」及びアーティスト名「十和田翔子」で定義される演奏曲に対応して、お気に入り登録ボタン２４８及び選曲入力ボタン２５０が表示されている。この選曲入力画面２４６において、前記お気に入り登録ボタン２４８に対する接触入力操作が行われた場合、前記対象となる演奏曲が入力主体である利用者（携帯電話機３０のオーナーでありその携帯電話機３０をもってＳＮＳにログインしている利用者）のお気に入り曲として前記ＳＮＳデータベース１２８に登録される。或いは、前記携帯電話機３０に備えられたカラオケ選曲入力機能におけるお気に入り曲として、前記記憶部１３６に記憶されるものであってもよい。また、前記選曲入力画面２４６において、前記選曲入力ボタン２５０に対する接触入力操作が行われた場合、後述する選曲入力制御手段１８８等により、対応付けられた前記カラオケ装置１６に対して対象となる演奏曲の選曲入力が行われる。
【００７５】
図１８は、前記再生回数上位曲画面２２４における各曲ボタン２２６に対応して前記カラオケ装置１６に対する選曲入力の可否が付加表示された画面を例示する図である。前記音楽データ画像表示制御手段１８０により表示された音楽データ画像である再生回数上位曲画面２２４に含まれる音楽データであっても、前記照会結果データベース１６６に前記カラオケ装置１６に対する選曲入力の可否が記憶された音楽データに関しては、前記照会制御手段１８２による照会を行わず、例えば図１８に示すように、各音楽データに対応して前記カラオケ装置１６に対する選曲入力の可否を示す付加表示を行うものであってもよい。図１８に示す例では、各曲ボタン２２６に対応して、前記カラオケ装置１６に対する選曲入力可能である曲には選曲可能表示マーク２５２が付加表示される一方、前記カラオケ装置１６に対する選曲入力不可である曲にはその選曲可能表示マーク２５２が非表示とされている。この再生回数上位曲画面２２４において、前記選曲可能表示マーク２５２が付加表示された曲ボタン２２６に対する接触入力操作が行われた場合、その曲ボタン２２６に対応する演奏曲を選曲入力するための図１７に示すような画面が前記タッチパネルディスプレイ１５４に表示される。
【００７６】
図７に示す前記選曲入力制御手段１８８は、前記カラオケ装置１６に対して所定の演奏曲の選曲入力を行う。すなわち、前記対応付け制御手段１７６により前記携帯電話機３０と対応付けられたカラオケ装置１６に対して、前記タッチパネルディスプレイ１５４による入力操作に応じて所定の演奏曲の選曲入力情報の送信を行う。具体的には、少なくとも選曲入力の対象となる演奏曲の選曲番号を送信する。好適には、選曲入力の対象となる演奏曲の選曲番号及び選曲主体である利用者のユーザＩＤを送信する。本実施例において、前記携帯電話機３０からの前記カラオケ装置１６に対する選曲入力情報の送信は、例えばセキュリティ保護のために前記サーバ装置３６を経由して行われる。すなわち、前記選曲入力制御手段１８８から前記カラオケ装置１６に対して送信された選曲入力情報は、前記通信回線１８を介して一旦前記サーバ装置３６により受信される。そして、そのサーバ装置３６における前記選曲入力制御手段１９０により、対象となるカラオケ装置１６すなわち前記対応付け制御手段１７６により前記携帯電話機３０と対応付けられたカラオケ装置１６に対してその選曲入力情報が送信され、対象となるカラオケ装置１６における予約曲テーブルに選曲入力情報に係る演奏曲の登録（選曲予約）が行われる。
【００７７】
図２６〜図２９は、前記照会制御手段１８２による前記照会制御、及び前記照会結果表示制御手段１８６による前記照会結果表示制御の具体例として、複数の態様（タッチパネルディスプレイ１５４に表示される画面の遷移のバリエーション）を例示する図である。図２６では、前述した図１５に示すように選曲入力候補曲をポップアップ表示するのではなく、前記タッチパネルディスプレイ１５４に表示される再生回数上位曲画面２２４を遷移させ、遷移後の画面に選曲入力候補曲を提示する態様を例示している。すなわち、前記タッチパネルディスプレイ１５４に再生回数上位曲画面２２４ａが表示された場合、その再生回数上位曲画面２２４ａに示される複数の音楽データのうち、例えば前記照会結果データベース１６６に照会結果が記憶されていない音楽データに関して、前記カラオケ装置１６により出力可能であるか否かの照会が前記サーバ装置２０に対して行われる。この照会が行われている間（サーバ装置２０から照会結果が返信されるまでの間）、前記タッチパネルディスプレイ１５４には照会中（問い合わせ中）であることを示す処理待ち画面２２５が表示される。そして、前記サーバ装置２０からの照会結果として、新たに前記曲ボタン２２６ｃに対応する演奏曲が前記カラオケ装置１６において選曲可能であることが受信された場合、図２６の再生回数上位曲画面２２４ｂに示すように、その曲ボタン２２６ｃに対応して前記選曲可能表示マーク２５２が付加表示される。また、前記サーバ装置２０からの照会結果として、新たに前記カラオケ装置１６において選曲可能であるとされた演奏曲がなかった場合、前記再生回数上位曲画面２２４ａは変化（更新）させられず、元の表示に復帰させられる。なお、前記再生回数上位曲画面２２４ａ、２２４ｂにおいては、前記選曲可能表示マーク２５２が付加表示された曲ボタン２２６に対する接触入力操作が行われた場合、その曲ボタン２２６に対応する演奏曲を選曲入力するための図１７に示すような画面が前記タッチパネルディスプレイ１５４に表示される。
【００７８】
図２７では、前記タッチパネルディスプレイ１５４に表示される再生回数上位曲画面２２４において、前記カラオケ装置１６において選曲不能であるとされた演奏曲に対応する曲ボタン２２６がグレーアウトされる態様を例示している。すなわち、前記タッチパネルディスプレイ１５４に再生回数上位曲画面２２４ｃが表示された場合、その再生回数上位曲画面２２４ｃに示される複数の曲ボタン２２６のうち、前記カラオケ装置１６において選曲可能であるとされた演奏曲に対応するもの（再生回数上位曲画面２２４ｃにおいては曲ボタン２２６ａ及び２２６ｅ）が通常表示される一方、前記カラオケ装置１６において選曲不能であるとされた演奏曲に対応するもの（再生回数上位曲画面２２４ｃにおいては曲ボタン２２６ｂ、２２６ｃ、２２６ｄ、及び２２６ｆ）がグレーアウト表示される。この再生回数上位曲画面２２４ｃにおいては、通常表示された曲ボタン２２６に対する接触入力操作が行われた場合、その曲ボタン２２６に対応する演奏曲を選曲入力するための図１７に示すような画面が前記タッチパネルディスプレイ１５４に表示されるが、グレーアウト表示された曲ボタン２２６に対する接触入力操作は不可とされる。或いは、グレーアウト表示された曲ボタン２２６に対する接触入力操作が行われた場合、「カラオケ曲にありません」というように、その曲ボタン２２６に対応する演奏曲は選曲できない旨の注意表示を含む画面が前記タッチパネルディスプレイ１５４に表示される。
【００７９】
前記タッチパネルディスプレイ１５４に再生回数上位曲画面２２４ｃが表示された場合、その再生回数上位曲画面２２４ｃに示される複数の音楽データのうち、例えば前記照会結果データベース１６６に照会結果が記憶されていない音楽データに関して、前記カラオケ装置１６により出力可能であるか否かの照会が前記サーバ装置２０に対して行われる。この照会が行われている間（サーバ装置２０から照会結果が返信されるまでの間）、前記タッチパネルディスプレイ１５４には照会中（問い合わせ中）であることを示す処理待ち画面２２５が表示される。そして、前記サーバ装置２０からの照会結果として、新たに前記曲ボタン２２６ｃに対応する演奏曲が前記カラオケ装置１６において選曲可能であることが受信された場合、図２７の再生回数上位曲画面２２４ｄに示すように、その曲ボタン２２６ｃに対応するグレーアウト表示が解除されて通常表示とされる。また、前記サーバ装置２０からの照会結果として、新たに前記カラオケ装置１６において選曲可能であるとされた演奏曲がなかった場合、前記再生回数上位曲画面２２４ｃは変化（更新）させられず、元の表示に復帰させられる。
【００８０】
図２８では、前記タッチパネルディスプレイ１５４に表示される再生回数上位曲画面２２４において、所定の演奏曲が選択（指定）されることをトリガとして、その時点で前記再生回数上位曲画面２２４に示される複数の楽曲データに関する前記照会を行う態様を例示している。すなわち、前記タッチパネルディスプレイ１５４に前記再生回数上位曲画面２２４ａが表示された場合、その再生回数上位曲画面２２４ａに表示された複数の曲ボタン２２６の何れかに対する接触入力操作が行われることをトリガとして、その再生回数上位曲画面２２４ａに示される複数の音楽データのうち、例えば前記照会結果データベース１６６に照会結果が記憶されていない音楽データに関して、前記カラオケ装置１６により出力可能であるか否かの照会が前記サーバ装置２０に対して行われる。換言すれば、前記タッチパネルディスプレイ１５４に前記再生回数上位曲画面２２４ａが表示されても、前記曲ボタン２２６の何れかに対する接触入力操作が行われない限り、前記サーバ装置２０に対する照会は行われない。
【００８１】
図２８に示す再生回数上位曲画面２２４ａにおいて、前記曲ボタン２２６ａに対する接触入力操作が行われた場合、その曲ボタン２２６ａに対応する演奏曲を選曲入力するための選曲入力画面２４６が前記タッチパネルディスプレイ１５４に表示される。この選曲入力画面２４６の表示と同期して、前記再生回数上位曲画面２２４ａに示される複数の音楽データのうち、例えば前記照会結果データベース１６６に照会結果が記憶されていない音楽データに関して、前記カラオケ装置１６により出力可能であるか否かの照会が前記サーバ装置２０に対して行われる。そして、前記サーバ装置２０からの照会結果として、新たに前記曲ボタン２２６ｃに対応する演奏曲が前記カラオケ装置１６において選曲可能であることが受信された場合、次回の再生回数上位曲画面２２４の表示に際して、例えば図２８の再生回数上位曲画面２２４ｂに示すように、その曲ボタン２２６ｃに対応して前記選曲可能表示マーク２５２が付加表示される。また、前記サーバ装置２０からの照会結果として、新たに前記カラオケ装置１６において選曲可能であるとされた演奏曲がなかった場合、前記再生回数上位曲画面２２４ａは変化（更新）させられず、元の表示に復帰させられる。
【００８２】
図２９では、前記サーバ装置２０に対する照会の結果、前記音楽データベース１６４に記憶された音楽データに対応するカラオケデータが２曲以上検索された場合における照会結果表示の一例を示している。すなわち、図２９に示す再生回数上位曲画面２２４ｅにおいては、同一の曲名「あなた」に対応して（アーティスト名の異なる）２つの曲ボタン２２６ｋ、２２６ｍが表示されている。更に、前記サーバ装置２０のカラオケデータベース１２６には、アーティスト名「十和田翔子」に対応して、曲名「あなた」で定義される第１の演奏曲に対応するカラオケデータと、曲名「あなたからの手紙」で定義される第２の演奏曲に対応するカラオケデータとが存在するものとする。斯かる場合において、曲名「あなた」、アーティスト名「渋沢まこと」に対応する演奏曲を示す曲ボタン２２６ｍに対する接触入力操作が行われた場合、その演奏曲を選曲入力するための選曲入力画面２４６ｂが前記タッチパネルディスプレイ１５４に表示される。
【００８３】
前記再生回数上位曲画面２２４ｅにおいて、曲名「あなた」、アーティスト名「十和田翔子」に対応する演奏曲を示す曲ボタン２２６ｋに対する接触入力操作が行われた場合において、その演奏曲に対応して前記サーバ装置２０に対する照会が行われた場合を考えると、前記サーバ装置２０のカラオケデータベース１２６には、アーティスト名「十和田翔子」に対応して、曲名「あなた」で定義される第１の演奏曲に対応するカラオケデータと、曲名「あなたからの手紙」で定義される第２の演奏曲に対応するカラオケデータとが存在するため、前記カラオケデータ検索制御手段１８４により曲名の前方一致検索を実行する場合等においては、該当するカラオケデータ（該当曲候補）が２曲存在するとの照会結果が前記携帯電話機３０に対して返信されることが考えられる。斯かる照会結果が受信された場合、前記携帯電話機３０のタッチパネルディスプレイ１５４には図２９に示すような複数（図２９では２つ）の選曲入力候補曲ボタン２３４ｄ、２３４ｅを含む選曲入力候補曲画面２３０ａが表示される。そして、その選曲入力候補曲画面２３０ａにおいて、前記選曲入力候補曲ボタン２３４ｄ、２３４ｅのうち何れか、例えば曲名「あなた」、アーティスト名「十和田翔子」で定義される演奏曲を示す選曲入力候補曲ボタン２３４ｄに対する接触入力操作が行われた場合、その演奏曲を選曲入力するための選曲入力画面２４６ａが前記タッチパネルディスプレイ１５４に表示される。
【００８４】
図７に示す前記照会結果表示制御手段１８６は、所定の演奏曲に係る選曲入力に際して、その選曲入力の対象となる前記カラオケ装置１６の機種において出力可能な曲タイプのうち最も優先順位の高い曲タイプのカラオケデータを選曲入力候補として提示する。例えば、図１５に示す選曲入力候補曲画面２３０において、所定の選曲入力候補曲ボタン２３４に対する接触入力操作が行われた場合であって、その選曲入力候補曲ボタン２３４に対応して複数種類の曲タイプのカラオケデータが存在する場合には、選曲入力の対象となる前記カラオケ装置１６の機種において出力可能な曲タイプのうち最も優先順位の高い曲タイプのカラオケデータを選曲入力候補として、図１７に示すような選曲入力画面２４６を表示させる。換言すれば、表示されたその選曲入力画面２４６における選曲入力ボタン２５０に対する接触入力操作が行われた場合に、選曲入力の対象となる前記カラオケ装置１６に対してそのカラオケ装置１６の機種において出力可能な曲タイプのうち最も優先順位の高い曲タイプのカラオケデータが選曲入力されるように制御する。すなわち、選曲入力に係る演奏曲が選択された際、その演奏曲に対応して複数種類の曲タイプのカラオケデータが存在する場合には、選曲入力の対象となる前記カラオケ装置１６の機種において出力可能な曲タイプのうち最も優先順位の高い曲タイプのカラオケデータをデフォルト表示させる。ここで、選曲入力の対象となるカラオケ装置１６とは、好適には、前記対応付け制御手段１７６により前記携帯電話機３０と対応付けられたカラオケ装置１６であるが、選曲入力の対象となるカラオケ装置１６の機種が特定できれば、必ずしも携帯電話機３０とカラオケ装置１６との対応付け処理を前提とするものでなくともよい。また、前記曲タイプの優先順位は、好適には、各利用者に対応して個別に設定された優先順位が前記ＳＮＳデータベース１２８から読み出されて用いられるものであるが、前記携帯電話機３０に予め記憶された優先順位が用いられるものであってもよい。また、前記サーバ装置２０に登録された初期設定の優先順位が読み出されて用いられるものであってもよい。
【００８５】
図１９は、本実施例との対比のために従来の携帯型情報通信端末によるカラオケ装置１６に対する選曲入力機能の問題点について説明する図である。従来の技術では、例えば図１５に示す選曲入力候補曲画面２３０において、所定の選曲入力候補曲ボタン２３４に対する接触入力操作が行われ、その選曲入力候補曲ボタン２３４に対応して複数種類の曲タイプのカラオケデータが存在する場合には、例えば最新の機種に合わせて曲タイプ「生演奏」のカラオケデータを選曲入力するための前記選曲入力画面２４６が表示される。すなわち、選曲入力の対象となる前記カラオケ装置１６の機種によらず、所定の曲タイプのカラオケデータがデフォルト表示される。斯かる場合において、選曲入力の対象となる前記カラオケ装置１６の機種が曲タイプ「生演奏」のカラオケデータを出力できない旧型のものであった場合、前記選曲入力ボタン２５０に対する接触入力操作が行われる等して実際の選曲入力が行われると、例えば図１９に示すように、対象となるカラオケデータがその機種においては出力できない旨の出力不可通知２５４が前記選曲入力画面２４６に付加表示される。この場合、選曲入力の対象となる前記カラオケ装置１６の機種でも出力できるカラオケデータを再検索する処理が必要となり、利用者にストレスを与えるおそれがある。前述した本実施例の制御によれば、選曲入力の対象となる前記カラオケ装置１６の機種において出力可能な曲タイプのうち最も優先順位の高い曲タイプのカラオケデータをデフォルト表示させるものであるため、斯かる問題点を好適に解消することができる。
【００８６】
前記選曲入力制御手段１８８、１９０は、選曲入力の対象となる前記カラオケ装置１６の機種において出力不能である曲タイプのカラオケデータが選択された場合、そのカラオケデータと同一の演奏曲に対応するカラオケデータであって前記選曲入力の対象となるカラオケ装置１６の機種において出力可能である曲タイプのカラオケデータを、そのカラオケ装置１６に対して選曲入力する。例えば、図１５に示す選曲入力候補曲画面２３０において、所定の選曲入力候補曲ボタン２３４に対する接触入力操作が行われ、その選曲入力候補曲ボタン２３４に対応して複数種類の曲タイプのカラオケデータが存在する場合には、前記選曲入力候補曲画面２３０の表示に係るカラオケデータの曲タイプ（選曲入力候補として表示されているカラオケデータの曲タイプ）によらず、そのカラオケデータと同一の演奏曲に対応するカラオケデータであって前記選曲入力の対象となるカラオケ装置１６の機種において出力可能である曲タイプのカラオケデータを、表示に係る曲タイプのカラオケデータに差し替えてそのカラオケ装置１６に対して選曲入力する。好適には、選曲入力の対象となる前記カラオケ装置１６の機種において出力不能である曲タイプのカラオケデータが選択された場合、そのカラオケデータと同一の演奏曲に対応するカラオケデータであって前記選曲入力の対象となるカラオケ装置１６の機種において出力可能である曲タイプのうち最も優先順位が高い曲タイプに該当するカラオケデータを、そのカラオケ装置１６に対して選曲入力する。
【００８７】
前記選曲入力の対象となるカラオケ装置１６の機種において出力不能である曲タイプのカラオケデータが選択された場合の制御は、好適には、前記携帯電話機３０に備えられた前記選曲入力制御手段１８８により実行される。例えば、前記携帯電話機３０において前記カラオケ装置１６の各機種と出力可能な曲タイプとの対応関係を取得しておき、選曲入力の対象となる前記カラオケ装置１６の機種において出力不能である曲タイプのカラオケデータが選択された場合、前記選曲入力制御手段１８８により、そのカラオケデータと同一の演奏曲に対応するカラオケデータであって前記選曲入力の対象となるカラオケ装置１６の機種において出力可能である曲タイプのカラオケデータを、そのカラオケ装置１６に対して選曲入力する。また、優先順位に基づいて選曲入力の対象となる曲タイプを定める制御を行う場合、前記携帯電話機３０において前記複数種類の曲タイプの優先順位に係る情報を取得しておき、選曲入力の対象となる前記カラオケ装置１６の機種において出力不能である曲タイプのカラオケデータが選択された場合、前記選曲入力制御手段１８８により、そのカラオケデータと同一の演奏曲に対応するカラオケデータであって前記選曲入力の対象となるカラオケ装置１６の機種において出力可能である曲タイプのうち最も優先順位が高い曲タイプに該当するカラオケデータを、そのカラオケ装置１６に対して選曲入力する。なお、斯かる制御において、選曲入力の対象となるカラオケ装置１６とは、好適には、前記対応付け制御手段１７６により前記携帯電話機３０と対応付けられたカラオケ装置１６であるが、選曲入力の対象となるカラオケ装置１６の機種が特定できれば、必ずしも携帯電話機３０とカラオケ装置１６との対応付け処理を前提とするものでなくともよい。
【００８８】
また、前記選曲入力の対象となるカラオケ装置１６の機種において出力不能である曲タイプのカラオケデータが選択された場合の制御は、好適には、前記サーバ装置３６に備えられた前記選曲入力制御手段１９０により実行される。例えば、前記サーバ装置３６において前記カラオケ装置１６の各機種と出力可能な曲タイプとの対応関係を取得しておき、前記携帯電話機３０から選曲入力の対象となる前記カラオケ装置１６の機種において出力不能である曲タイプのカラオケデータの選曲入力情報が受信された場合、前記選曲入力制御手段１９０により、そのカラオケデータと同一の演奏曲に対応するカラオケデータであって前記選曲入力の対象となるカラオケ装置１６の機種において出力可能である曲タイプのカラオケデータを、受信された選曲入力情報に係るカラオケデータに差し替えてそのカラオケ装置１６に対して選曲入力する。また、優先順位に基づいて選曲入力の対象となる曲タイプを定める制御を行う場合、前記サーバ装置３６において前記複数種類の曲タイプの優先順位に係る情報を取得しておき、前記携帯電話機３０から選曲入力の対象となる前記カラオケ装置１６の機種において出力不能である曲タイプのカラオケデータの選曲入力情報が受信された場合、前記選曲入力制御手段１９０により、そのカラオケデータと同一の演奏曲に対応するカラオケデータであって前記選曲入力の対象となるカラオケ装置１６の機種において出力可能である曲タイプのうち最も優先順位が高い曲タイプに該当するカラオケデータを、受信された選曲入力情報に係るカラオケデータに差し替えてそのカラオケ装置１６に対して選曲入力する。なお、斯かる制御において、選曲入力の対象となるカラオケ装置１６とは、好適には、前記対応付け制御手段１７６により前記携帯電話機３０と対応付けられたカラオケ装置１６であるが、選曲入力の対象となるカラオケ装置１６の機種が特定できれば、必ずしも携帯電話機３０とカラオケ装置１６との対応付け処理を前提とするものでなくともよい。
【００８９】
前述した図１９を用いて、従来の携帯型情報通信端末によるカラオケ装置１６に対する選曲入力機能と本実施例の制御とを比較すると、従来の技術では、例えば図１５に示す選曲入力候補曲画面２３０において、所定の選曲入力候補曲ボタン２３４に対する接触入力操作が行われ、その選曲入力候補曲ボタン２３４に対応して複数種類の曲タイプのカラオケデータが存在する場合には、例えば最新の機種に合わせて曲タイプ「生演奏」のカラオケデータを選曲入力するための前記選曲入力画面２４６が表示される。すなわち、選曲入力の対象となる前記カラオケ装置１６の機種によらず、所定の曲タイプのカラオケデータがデフォルト表示されるため、その対象となるカラオケ装置１６の機種では出力できない曲タイプのカラオケデータが表示されることが考えられる。斯かる場合において、前記選曲入力の対象となるカラオケ装置１６の機種において出力不能である曲タイプのカラオケデータが選択された場合の本実施例の制御を行うものでは、自動的にそのカラオケ装置１６の機種において出力可能な曲タイプのカラオケデータに差し替えて選曲入力を行うものであるため、前記従来の技術における問題点を好適に解消することができる。更に、前述した選曲入力の対象となる前記カラオケ装置１６の機種において出力可能な曲タイプのうち最も優先順位の高い曲タイプのカラオケデータをデフォルト表示させる本実施例の制御を行う態様においても、前記携帯電話機３０との対応付け処理が行われていないカラオケ装置１６に対して選曲入力を行う場合や、所定の演奏曲に係るカラオケデータの検索を行った後に前記携帯電話機３０とカラオケ装置１６との対応付け処理を行う場合においては、選曲入力候補となる演奏曲が選択された段階では選曲入力の対象となるカラオケ装置１６の機種が特定されていないことが考えられ、その機種では出力できないカラオケデータがデフォルト表示される可能性がある。斯かる場合においても、前記選曲入力の対象となるカラオケ装置１６の機種において出力不能である曲タイプのカラオケデータが選択された場合の本実施例の制御を行うことで、前記従来の技術における問題点を好適に解消することができる。
【００９０】
ここで、前記カラオケデータに係る複数種類の曲タイプにおける優先順位は、好適には、各利用者毎に予め定められたものであり、且つ、各利用者に関する情報に応じて変更させられるものである。この曲タイプの優先順位の変更は、例えば、前記ＳＮＳ管理制御手段１７０により行われる。すなわち、好適には、前記ＳＮＳデータベース１２８に登録された各利用者に対応して、前記複数種類の曲タイプにおける優先順位が個別に記憶されており、且つ、各利用者毎にその変更が可能とされている。前記ＳＮＳデータベース１２８に各利用者毎に登録された前記複数種類の曲タイプにおける優先順位は、好適には、前記携帯電話機３０等の通信端末装置による入力操作に応じて、各利用者が任意に変更することができる。また、好適には、前記ＳＮＳデータベース１２８に各利用者毎に登録された前記複数種類の曲タイプにおける優先順位は、各利用者の年齢に応じて変化させられるものである。この年齢とは、各利用者に対応して前記ＳＮＳデータベース１２８に記憶された実際の年齢乃至歌年齢であり、利用者の年齢が比較的低い場合（例えば、１０歳以下の低年齢層）には、曲タイプ「生演奏」よりも「ガイドボーカル」の方が歌い易く、利用者の年齢が比較的高い場合（例えば、６０歳以上の高齢者層）には、より音がはっきりと聞こえる曲タイプ「スゴ音」が歌い易い等の傾向があるため、斯かる傾向を踏まえて各利用者の年齢に応じて優先順位を変化させることで、前記カラオケデータに係る複数種類の曲タイプにおける優先順位を好適化できる。
【００９１】
また、前記ＳＮＳデータベース１２８に各利用者毎に登録された前記複数種類の曲タイプにおける優先順位は、好適には、各利用者の前記カラオケ装置１６によるカラオケ演奏実績に応じて変化させられるものである。好適には、各利用者が前記カラオケ装置１６によるカラオケ演奏において選択する頻度が高い曲タイプほど優先順位が高くなるように変化させられるものである。例えば、各利用者毎に前記ＳＮＳデータベース１２８に記憶された選曲履歴から、各曲タイプ毎の選択回数（その曲タイプのカラオケデータの選曲回数）を算出し、選択回数の多いものから上位となるように前記複数種類の曲タイプにおける優先順位を決定する。所定の曲タイプのカラオケデータが多く選択されている場合、対象となる利用者はその曲タイプがお好みである可能性が高いため、選択回数が多い曲タイプほど優先順位が高くなるように設定することで、前記カラオケデータに係る複数種類の曲タイプにおける優先順位を好適化できる。
【００９２】
また、前記ＳＮＳデータベース１２８に各利用者毎に登録された前記複数種類の曲タイプにおける優先順位は、好適には、各利用者が前記カラオケ装置１６によるカラオケ演奏において連続して選択した曲タイプの優先順位が高くなるように変化させられるものである。例えば、前述のように、所定の演奏曲に対応する選曲入力画面２４６には例えばデフォルトの設定の曲タイプのカラオケデータが表示されるが、そのデフォルトの設定から利用者が曲タイプの変更を行った場合、その変更に関する情報（例えば、変更後の曲タイプ）を前記ＳＮＳデータベース１２８に各利用者毎に記憶しておく。そして、デフォルトの設定から所定の曲タイプのカラオケデータへ規定回数（例えば２回）以上連続して変更された場合、対象となる利用者はその曲タイプがお好みである可能性が高いため、斯かる曲タイプの優先順位が高くなるように設定することで、前記カラオケデータに係る複数種類の曲タイプにおける優先順位を好適化できる。
【００９３】
また、前記ＳＮＳデータベース１２８に各利用者毎に登録された前記複数種類の曲タイプにおける優先順位は、好適には、各利用者の前記カラオケ装置１６によるカラオケ演奏の評価結果に応じて変化させられるものである。例えば、前記ＳＮＳデータベース１２８に記憶された、対象となる利用者の演奏評価結果が比較的高い場合には、本格的なカラオケ演奏を好む傾向にあるため、曲タイプ「生演奏」の優先順位を上げる。また、対象となる利用者の演奏評価結果が比較的低い場合には、歌い易い曲タイプ「ガイドボーカル」の優先度を上げる等、各利用者の演奏技能（歌唱レベル）に合わせて優先順位を設定することで、前記カラオケデータに係る複数種類の曲タイプにおける優先順位を好適化できる。
【００９４】
図２０は、前記携帯電話機３０のＣＰＵ１３０によるカラオケ演奏可否判定制御の要部を説明するフローチャートであり、所定の周期で繰り返し実行されるものである。
【００９５】
先ず、ステップ（以下、ステップを省略する）ＳＡ１において、電源がオフであるか否かが判断される。このＳＡ１の判断が肯定される場合には、それをもって本ルーチンが終了させられるが、ＳＡ１の判断が否定される場合には、ＳＡ２において、例えば前記トップ画面２００において再生回数上位曲ボタン２０８に対する接触入力操作が行われる等して、前記音楽データベース１６４に記憶された複数の音楽データのうち一部を抽出するための操作が行われたか否かが判断される。このＳＡ２の判断が否定される場合には、それをもって本ルーチンが終了させられるが、ＳＡ２の判断が肯定される場合には、ＳＡ３において、前記操作に応じて、例えば再生回数が所定位以上の音楽データ等、属性情報に基づき前記音楽データベース１６４に記憶された複数の音楽データのうち一部の音楽データが抽出される。
【００９６】
次に、ＳＡ４において、ＳＡ３にて抽出された複数の音楽データを示す音楽データ画像が前記タッチパネルディスプレイ１５４に表示させられる。次に、ＳＡ５において、ＳＡ４にて前記タッチパネルディスプレイ１５４に表示された前記音楽データ画像に示される前記複数の音楽データのうち、前記照会結果データベース１６６に前記カラオケ装置１６による出力の可否が記憶（過去に判定）されていない音楽データの曲名及びアーティスト名が読み出される。次に、ＳＡ６において、ＳＡ４にて前記タッチパネルディスプレイ１５４に表示された前記音楽データ画像に示される前記複数の音楽データのうち、前記カラオケ装置１６による出力の可否が未判定である音楽データがあったか否かが判断される。このＳＡ６の判断が否定される場合には、ＳＡ１０以下の処理が実行されるが、ＳＡ６の判断が肯定される場合には、ＳＡ７以下の処理が実行される。
【００９７】
ＳＡ７においては、ＳＡ４にて前記タッチパネルディスプレイ１５４に表示された前記音楽データ画像に示される前記複数の音楽データのうち、前記カラオケ装置１６による出力の可否が未判定であった音楽データに関して、一括して斯かるカラオケ装置１６による出力の可否判定要求（照会要求）が前記サーバ装置２０へ送信される。次に、ＳＡ８において、ＳＡ７にて送信された可否判定要求に対して前記サーバ装置２０から判定結果（照会結果）が受信されたか否かが判断される。このＳＡ８の判断が否定されるうちは、ＳＡ８の判断が繰り返されることにより待機させられるが、ＳＡ８の判断が肯定される場合には、ＳＡ９において、ＳＡ７にて送信された可否判定要求に対して前記サーバ装置２０から受信された判定結果としての選曲番号等が前記照会結果データベース１６６に記憶される。次に、ＳＡ１０において、ＳＡ４にて前記タッチパネルディスプレイ１５４に表示された前記音楽データ画像に示される前記複数の音楽データのうち、前記カラオケ装置１６による出力可能である音楽データに対応する演奏曲が、前記カラオケ装置１６に対する選曲入力可能に前記タッチパネルディスプレイ１５４に表示させられた後、本ルーチンが終了させられる。
【００９８】
図２１は、前記携帯電話機３０のＣＰＵ１３０による他のカラオケ演奏可否判定制御の要部を説明するフローチャートであり、所定の周期で繰り返し実行されるものである。この図２１に示す制御において、前述した図２０に示す制御と共通するステップについては、同一の符号を付してその説明を省略する。
【００９９】
図２１に示す制御では、前述したＳＡ１０の処理に続いて、ＳＡ１１において、前記タッチパネルディスプレイ１５４を介して所謂ドラッグ操作等、そのタッチパネルディスプレイ１５４に表示された複数の音楽データを示す音楽データ画像をスクロール表示させるための操作が行われたか否かが判断される。このＳＡ１１の判断が否定される場合には、それをもって本ルーチンが終了させられるが、ＳＡ１１の判断が肯定される場合には、ＳＡ１２において、前記タッチパネルディスプレイ１５４を介して所謂ドラッグ操作の終了（ドロップ操作）等、前記音楽データ画像のスクロール表示を終了させるための操作が行われたか否かが判断される。このＳＡ１２の判断が否定される場合には、ＳＡ１２の判断が繰り返されることにより待機させられるが、ＳＡ１２の判断が肯定される場合には、ＳＡ５以下の処理が実行される。
【０１００】
図２２は、前記サーバ装置２０のＣＰＵ１１０によるカラオケ演奏可否判定制御の要部を説明するフローチャートであり、所定の周期で繰り返し実行されるものである。
【０１０１】
先ず、ＳＢ１において、電源がオフであるか否かが判断される。このＳＢ１の判断が肯定される場合には、それをもって本ルーチンが終了させられるが、ＳＢ１の判断が否定される場合には、ＳＢ２において、所定の音楽データに係る前記カラオケ装置１６による出力の可否判定要求（照会要求）が受信されたか否かが判断される。このＳＢ２の判断が否定される場合には、それをもって本ルーチンが終了させられるが、ＳＢ２の判断が肯定される場合には、ＳＢ３において、受信された可否判定要求に係る音楽データの一覧（リスト）に関して、対応するカラオケデータが前記カラオケデータベース１２６に記憶されているか否かの判定（カラオケ予約の可否判定）が行われる。次に、ＳＢ４において、ＳＢ３の判定結果（照会結果）が要求元である前記携帯電話機３０等に返信された後、それをもって本ルーチンが終了させられる。
【０１０２】
図２３は、前記携帯電話機３０のＣＰＵ１３０によるカラオケ選曲入力制御の要部を説明するフローチャートであり、所定の周期で繰り返し実行されるものである。
【０１０３】
先ず、ＳＣ１において、前記タッチパネルディスプレイ１５４に表示された前記選曲入力候補曲リスト２３２等の演奏曲一覧において、所定の演奏曲に対する接触入力操作が行われたか否かが判断される。このＳＣ１の判断が否定される場合には、それをもって本ルーチンが終了させられるが、ＳＣ１の判断が肯定される場合には、ＳＣ２において、前記接触入力操作により選択された演奏曲に対応するカラオケデータに係る各曲タイプ毎に、そのカラオケデータを出力可能とする前記カラオケ装置１６の機種情報（曲タイプと出力可能機種との対応関係）が前記サーバ装置２０等から取得される。次に、ＳＣ３において、前記携帯電話機３０とカラオケ装置１６との対応付け処理が完了しているか否かが判断される。このＳＣ３の判断が肯定される場合には、ＳＣ４において、例えば各利用者に対応する曲タイプの優先順位に係る情報が前記ＳＮＳデータベース１２８から取得され、前記接触入力操作により選択された演奏曲に対応するカラオケデータであって、対応付けられた前記カラオケ装置１６の機種において出力可能な曲タイプのうち最も優先順位の高い曲タイプのカラオケデータが選曲入力候補として前記タッチパネルディスプレイ１５４に表示させられた後、ＳＣ６以下の処理が実行されるが、ＳＣ３の判断が否定される場合には、ＳＣ５において、前記接触入力操作により選択された演奏曲に対応するカラオケデータであって、最上位機種例えば最新の前記カラオケ装置１６の機種において出力可能な曲タイプのうち最も優先順位の高い曲タイプのカラオケデータが選曲入力候補として前記タッチパネルディスプレイ１５４に表示させられた後、ＳＣ６において、前記タッチパネルディスプレイ１５４に表示された選曲入力ボタン２５０に対する接触入力操作が行われる等、対象となる演奏曲の選曲入力操作が行われたか否かが判断される。このＳＣ６の判断が否定される場合には、ＳＣ６の判断が繰り返されることにより待機させられるが、ＳＣ６の判断が肯定される場合には、ＳＣ７において、対象となる演奏曲の選曲入力情報が前記カラオケ装置１６に対して送信された後、それをもって本ルーチンが終了させられる。
【０１０４】
図２４は、前記サーバ装置３６のＣＰＵ１１０によるカラオケ選曲入力制御の要部を説明するフローチャートであり、所定の周期で繰り返し実行されるものである。
【０１０５】
先ず、ＳＤ１において、前記携帯電話機３０から所定のカラオケ装置１６に対する選曲入力情報が受信されたか否かが判断される。このＳＤ１の判断が否定される場合には、それをもって本ルーチンが終了させられるが、ＳＤ１の判断が肯定される場合には、ＳＤ２において、受信された選曲入力情報に係る演奏曲に対応するカラオケデータに係る各曲タイプ毎に、そのカラオケデータを出力可能とする前記カラオケ装置１６の機種情報（曲タイプと出力可能機種との対応関係）が前記サーバ装置２０等から取得される。次に、ＳＤ３において、受信された選曲入力情報に係るカラオケデータが、選曲入力の対象となる前記カラオケ装置１６の機種において出力可能であるか否かが判断される。このＳＤ３の判断が肯定される場合には、ＳＤ４において、受信された選曲入力情報が、選曲入力の対象となる前記カラオケ装置１６に対して送信された後、本ルーチンが終了させられるが、ＳＤ３の判断が否定される場合には、ＳＤ５において、受信された選曲入力情報に係る演奏曲に対応するカラオケデータであって、選曲入力の対象となる前記カラオケ装置１６の機種において出力可能な曲タイプのうち最も優先順位の高い曲タイプのカラオケデータが、選曲入力情報としてそのカラオケ装置１６に対して送信された後、本ルーチンが終了させられる。
【０１０６】
図２５は、前記携帯電話機３０のＣＰＵ１３０による他のカラオケ選曲入力制御の要部を説明するフローチャートであり、所定の周期で繰り返し実行されるものである。なお、この図２５に示す制御は、前述した図２３に示す制御と複合して実行され得るものである。特に、図２３に示す制御において、ＳＣ５の処理が行われる場合に好適に実行される。
【０１０７】
先ず、ＳＥ１において、前記タッチパネルディスプレイ１５４に表示された前記選曲入力候補曲リスト２３２等の演奏曲一覧において、所定の演奏曲に対する接触入力操作が行われたか否かが判断される。このＳＥ１の判断が否定される場合には、それをもって本ルーチンが終了させられるが、ＳＥ１の判断が肯定される場合には、ＳＥ２において、前記接触入力操作により選択された演奏曲に対応するカラオケデータに係る各曲タイプ毎に、そのカラオケデータを出力可能とする前記カラオケ装置１６の機種情報（曲タイプと出力可能機種との対応関係）が前記サーバ装置２０等から取得される。次に、ＳＥ３において、前記携帯電話機３０とカラオケ装置１６との対応付け処理が完了しているか否かが判断される。このＳＥ３の判断が肯定される場合には、ＳＥ５以下の処理が実行されるが、ＳＥ３の判断が否定される場合には、ＳＥ４において、前記携帯電話機３０とカラオケ装置１６との対応付け処理が行われた後、ＳＥ５において、選曲入力に係る曲タイプのカラオケデータが、前記携帯電話機３０と対応付けられた前記カラオケ装置１６の機種において出力可能であるか否かが判断される。このＳＥ５の判断が肯定される場合には、ＳＥ６において、対象となるカラオケデータの選曲入力情報が、前記携帯電話機３０と対応付けられた前記カラオケ装置１６に対して送信された後、本ルーチンが終了させられるが、ＳＥ５の判断が否定される場合には、ＳＥ７において、選曲入力に係る演奏曲に対応するカラオケデータであって、前記携帯電話機３０と対応付けられた前記カラオケ装置１６の機種において出力可能な曲タイプのうち最も優先順位の高い曲タイプのカラオケデータが、選曲入力情報としてそのカラオケ装置１６に対して送信された後、本ルーチンが終了させられる。
【０１０８】
以上の制御において、ＳＥ４が前記対応付け制御手段１７６の動作に、ＳＡ３が前記音楽データ抽出制御手段１７８の動作に、ＳＡ４、ＳＡ１１、及びＳＡ１２が前記音楽データ画像表示制御手段１８０の動作に、ＳＡ５〜ＳＡ７、及びＳＡ９が前記照会制御手段１８２の動作に、ＳＢ３が前記カラオケデータ検索制御手段１８４の動作に、ＳＡ１０が前記照会結果表示制御手段１８６の動作に、ＳＣ１〜ＳＣ７、ＳＥ１〜ＳＥ７が前記選曲入力制御手段１８８の動作に、ＳＤ１〜ＳＤ５が前記選曲入力制御手段１９０の動作に、それぞれ対応する。
【０１０９】
このように、本実施例によれば、前記音楽データベース１６４に記憶された複数の音楽データのうち一部を抽出し、抽出された複数の音楽データを示す音楽データ画像である再生回数上位曲画面２２４等を前記タッチパネルディスプレイ１５４に表示させる音楽データ画像表示制御手段１８０（ＳＡ４、ＳＡ１１、及びＳＡ１２）と、その音楽データ画像表示制御手段１８０により表示される前記音楽データ画像に示される前記複数の音楽データに関して、前記カラオケ装置１６により各音楽データに対応する演奏曲が出力可能か否かを一括して前記サーバ装置２０に照会する照会制御手段１８２（ＳＡ５〜ＳＡ７、及びＳＡ９）と、前記音楽データ画像に示される前記複数の音楽データのうち、その照会制御手段１８２による照会結果として前記カラオケ装置１６により出力可能とされた音楽データに対応する演奏曲を、前記カラオケ装置１６に対する選曲入力可能に前記タッチパネルディスプレイ１５４に表示させる照会結果表示制御手段１８６（ＳＡ１０）とを、備えたものであることから、前記タッチパネルディスプレイ１５４に表示されている複数の音楽データに限定してカラオケデータの有無を問い合わせることで、負荷を低減して速やかに処理を行うことができることに加え、直感的な選曲入力操作につながる画面表示を実現することができる。すなわち、カラオケ装置１６により出力可能なカラオケデータの照会を簡便なものとする携帯型情報通信端末としての携帯電話機３０を提供することができる。
【０１１０】
また、前記照会制御手段１８２は、前記音楽データ画像表示制御手段１８０により前記音楽データ画像が前記タッチパネルディスプレイ１５４に表示されるのと同期してその音楽データ画像に示される前記複数の音楽データに関する前記照会を行うものであるため、複数の音楽データを含む画面が前記タッチパネルディスプレイ１５４に表示された時点で対応するカラオケデータの照会延いては照会結果の表示が行われることで、更なる直感的な選曲入力操作につながる画面表示を実現することができる。
【０１１１】
また、前記音楽データ画像表示制御手段１８０は、前記タッチパネルディスプレイ１５４に対する利用者の接触に応じて、前記音楽データ画像をそのタッチパネルディスプレイ１５４の画面における所定方向にスクロール表示させるものであり、前記照会制御手段１８２は、前記音楽データ画像表示制御手段１８０による前記音楽データ画像のスクロール表示が停止してその音楽データ画像が定まった時点でその音楽データ画像に示される前記複数の音楽データに関する前記照会を行うものであるため、複数の音楽データを含む画面のスクロールが終了した時点で対応するカラオケデータの照会延いては照会結果の表示が行われることで、更なる直感的な選曲入力操作につながる画面表示を実現することができる。
【０１１２】
また、前記照会制御手段１８２による照会結果として前記カラオケ装置１６に対する選曲入力の可否を記憶する照会結果データベース１６６を備え、前記照会制御手段１８２は、前記音楽データ画像表示制御手段１８０により表示される前記音楽データ画像に示される音楽データであっても、前記照会結果データベース１６６に前記カラオケ装置１６に対する選曲入力の可否が記憶された音楽データに関しては前記照会を行わないものであるため、カラオケデータの有無の問い合わせに係る処理の負荷を更に低減することができる。
【０１１３】
また、前記照会制御手段１８２は、前記音楽データ画像表示制御手段１８０により表示される前記音楽データ画像に示される音楽データであって、前記照会結果データベース１６６に前記カラオケ装置１６に対する選曲入力不可であることが記憶された音楽データに関しては、規定の条件が成立する場合にその音楽データに対応して再び前記照会を行うものであるため、一度は前記カラオケ装置１６に対する選曲入力不可であると判定された演奏曲についても、例えば所定期間が経過することで新譜として登録される可能性を考慮し、更に利便性の高いカラオケデータの有無の問い合わせを実現できる。
【０１１４】
また、前記携帯電話機３０の制御装置であるＣＰＵ１３０を、前記音楽データベースに記憶された複数の音楽データのうち一部を抽出し、抽出された複数の音楽データを示す音楽データ画像を前記タッチパネルディスプレイ１５４に表示させる音楽データ画像表示制御手段１８０、その音楽データ画像表示制御手段１８０により表示される前記音楽データ画像に示される前記複数の音楽データに関して、前記カラオケ装置１６により各音楽データに対応する演奏曲が出力可能か否かを一括して前記サーバ装置２０に照会する照会制御手段１８２、及び、前記音楽データ画像に示される前記複数の音楽データのうち、その照会制御手段１８２による照会結果として前記カラオケ装置１６により出力可能とされた音楽データに対応する演奏曲を、前記カラオケ装置１６に対する選曲入力可能に前記タッチパネルディスプレイ１５４に表示させる照会結果表示制御手段１８６として機能させることを特徴とする情報通信プログラムであることから、前記タッチパネルディスプレイ１５４に表示されている複数の音楽データに限定してカラオケデータの有無を問い合わせることで、負荷を低減して速やかに処理を行うことができることに加え、直感的な選曲入力操作につながる画面表示を実現することができる。すなわち、カラオケ装置１６により出力可能なカラオケデータの照会を簡便なものとする携帯型情報通信端末用情報通信プログラムを提供することができる。
【０１１５】
以上、本発明の好適な実施例を図面に基づいて詳細に説明したが、本発明はこれに限定されるものではなく、更に別の態様においても実施される。
【０１１６】
例えば、前述の実施例において、前記携帯電話機３０に備えられた選曲入力制御手段１８８は、前記サーバ装置３６を経由し前記通信回線１８を介して前記カラオケ装置１６に対する選曲入力を行うものであったが、本発明はこれに限定されるものではなく、例えば、前記通信回線１８を介することなく（すなわちサーバ装置３６を経由することなく）、赤外線通信や近距離無線通信等により前記カラオケ装置１６に対する選曲入力を行うものであってもよい。例えば、赤外線通信により前記カラオケ装置１６に対する選曲入力を行う態様においても、例えば前記タッチパネルディスプレイ１５４等を介しての入力操作により、予め選曲入力の対象となる前記カラオケ装置１６の機種が特定されていれば、前述した図２３に示す制御及び図２５に示す制御と同等の制御が可能である。
【０１１７】
また、前述の実施例において、前記対応付け制御手段１７６は、前記ログイン認証制御手段１７４による認証結果を利用して前記携帯電話機３０とカラオケ装置１６との対応付けを行うものであったが、前記携帯電話機３０とカラオケ装置１６との間で直接通信を行うことで対応付け処理を行うものであってもよい。例えば、前記電子早見本装置２２に備えられた対応付け制御手段１７２と同様に、所定の接続通知を赤外線により対応付けの対象となる前記カラオケ装置１６へ送信し、そのカラオケ装置１６と携帯電話機３０との間の対応付け処理を行うものであってもよい。
【０１１８】
また、前述の実施例において、前記選曲入力制御手段１８８は、所定の演奏曲の選曲入力に際してその都度前記サーバ装置２０等から前記複数種類の曲タイプの優先順位に係る情報を取得するものであったが、その優先順位に係る情報を前記記憶部１３６等に記憶しておき、所定の演奏曲の選曲入力に際してその情報を読み出して用いるものであってもよい。更に、前記ＳＮＳデータベース１２８に接続された際、そのＳＮＳデータベース１２８に記憶された各利用者毎の優先順位に係る情報を取得して前記記憶部１３６等に記憶しておき、所定の演奏曲の選曲入力に際してその情報を読み出して用いるものであってもよい。
【０１１９】
また、前述の実施例においては、前記通信カラオケシステム１０における携帯型情報通信端末として、所謂スマートフォンとしての携帯電話機３０及びタブレット３２を備えた構成を例示したが、携帯型情報通信端末としては他の機器も考えられ、例えば、通信機能を備えたコンシューマゲーム機、或いは通信機能及びタッチパネルディスプレイを備えた携帯型音楽プレイヤ等を携帯型情報通信端末として備えたものであってもよい。
【０１２０】
また、前述の実施例において詳述した、前記カラオケ装置１６の機種に応じてそのカラオケ装置１６によるカラオケ演奏に係る設定を行うロジックは、各種制御に応用が可能である。例えば、前記携帯電話機３０のＣＰＵ１３０に、採点制御機能（採点アプリケーションソフトウェア）がインストール可能とされた態様において、前述した本実施例のカラオケ選曲入力機能は、所定の演奏曲の選曲入力時（予約時）のオプション設定で、「この曲を全国採点モードで歌う」というように、採点制御機能の起動条件を付加しての予約も可能である。ここで、例えば採点アプリケーションソフトウェアの採点モードに複数のラインナップが存在し、各ラインナップによる採点の可否が、前記カラオケ装置１６の機種毎に異なることが考えられるが、斯かる場合において、前記選曲入力制御手段１８８等の説明において前述したように、対象となるカラオケ装置１６の機種で採点可能な採点モードのみをリストに提示するといった制御を行うことで、利用者にストレスを与えることなく好適なカラオケ採点を実現できるという効果が得られる。
【０１２１】
また、本発明とは直接関係しないが、各利用者に対応するウェブサイト（マイページ）が前記ＳＮＳデータベース１２８に設けられた構成において、そのウェブサイトにて前記カラオケ装置１６によるカラオケ演奏に際してのマイクロフォン音質を設定可能とされている態様では、前記カラオケ装置１６の機種毎に設定可能なマイクロフォン音質が異なることが考えられる。斯かる場合において、前記選曲入力制御手段１８８等の説明において前述したように、対象となるカラオケ装置１６の機種毎に予め所定のマイクロフォン音質（その機種において最適とされるデフォルト設定）を定めておき、実際のカラオケ演奏で用いられるカラオケ装置１６が定まった時点で、そのカラオケ装置１６に対応するマイクロフォン音質を自動設定する制御を行うことで、煩雑な操作を要することなく各カラオケ装置１６において好適なマイクロフォン音質を実現できるという効果が得られる。
【０１２２】
その他、一々例示はしないが、本発明はその趣旨を逸脱しない範囲内において種々の変更が加えられて実施されるものである。
【符号の説明】
【０１２３】
１０：通信カラオケシステム、１６：カラオケ装置、１８：通信回線、２０：サーバ装置、３０：携帯電話機（携帯型情報通信端末）、３２：タブレット（携帯型情報通信端末）、１５４：タッチパネルディスプレイ、１６４：音楽データベース、１６６：照会結果データベース、１８０：音楽データ画像表示制御手段、１８２：照会制御手段、１８６：照会結果表示制御手段、２２４：再生回数上位曲画面（音楽データ画像）
【図１】
0005830437.tif 000002
【図２】
0005830437.tif 000003
【図３】
0005830437.tif 000004
【図４】
0005830437.tif 000005
【図５】
0005830437.tif 000006
【図６】
0005830437.tif 000007
【図７】
0005830437.tif 000008
【図８】
0005830437.tif 000009
【図９】
0005830437.tif 000010
【図１０】
0005830437.tif 000011
【図１１】
0005830437.tif 000012
【図１２】
0005830437.tif 000013
【図１３】
0005830437.tif 000014
【図１４】
0005830437.tif 000015
【図１５】
0005830437.tif 000016
【図１６】
0005830437.tif 000017
【図２０】
0005830437.tif 000018
【図２１】
0005830437.tif 000019
【図２２】
0005830437.tif 000020
【図２３】
0005830437.tif 000021
【図２４】
0005830437.tif 000022
【図２５】
0005830437.tif 000023
【図１７】
0005830437.tif 000024
【図１８】
0005830437.tif 000025
【図１９】
0005830437.tif 000026
【図２６】
0005830437.tif 000027
【図２７】
0005830437.tif 000028
【図２８】
0005830437.tif 000029
【図２９】
0005830437.tif 000030